(57)【要約】【課題】生化学検査装置を利用して得られた検査結果の信頼性を高め、かつ不適切な検査結果を適切な検査結果であると誤解するような虞を好適になくすことが可能な生化学検査システムを提供する。【解決手段】通信網を利用したデータ通信が可能な生化学検査装置Ａおよび管理サーバ８を備えている生化学検査システムＳＹであって、生化学検査装置Ａは、この生化学検査装置Ａのコンディションに関するデータを管理サーバに所定の時期に送信可能であり、管理サーバ８は、前記コンディションに関するデータを受信した際には、それ以前に受信した生化学検査装置Ａのコンディションに関するデータに基づいて、生化学検査装置Ａの現在のコンディションが正常であるか否かを判断し、正常であると判断したときには、認証の旨のデータを生化学検査装置Ａに送信する。【選択図】図１
2015169512.tif 000002
【特許請求の範囲】
【請求項１】
通信機能を備えた生化学検査装置と、
この生化学検査装置との相互間で通信網を利用したデータ通信が可能であり、かつ前記生化学検査装置から送信されてきたデータを記憶部に順次記憶する処理を実行可能な管理サーバと、
を備えている、生化学検査システムであって、
前記生化学検査装置は、この生化学検査装置のコンディションに関するデータを前記管理サーバに対して所定の時期に送信可能であり、
前記管理サーバは、前記コンディションに関するデータを受信した際には、それ以前に受信した前記生化学検査装置のコンディションに関するデータに基づいて、前記生化学検査装置の現在のコンディションが正常であるか否かを判断し、かつ現在のコンディションが正常であると判断したときには、前記生化学検査装置を認証する旨のデータを前記生化学検査装置に送信する一方、そうでないときには、前記認証する旨のデータを前記生化学検査装置に送信しない構成とされていることを特徴とする、生化学検査システム。
【請求項２】
請求項１に記載の生化学検査装置であって、
前記生化学検査装置のコンディションに関するデータが前記管理サーバに送信される時期は、前記生化学検査装置を利用して検体の生化学検査が実行される前であり、
前記管理サーバが、前記生化学検査装置の現在のコンディションが正常ではないと判断したときには、その内容および現在のコンディションを正常にするための操作内容の少なくとも一方を報知するためのデータが、前記生化学検査装置に送信される構成とされている、生化学検査システム。
【請求項３】
請求項１または２に記載の生化学検査システムであって、
前記生化学検査装置は、検体に光を照射するための光源、この光源から発せられて前記検体を透過した光または前記検体により反射された光を受光してその受光量に対応した信号を出力する受光部、およびこの受光部から出力される信号のデータに基づいて前記検体中の特定成分の濃度演算処理を実行する濃度演算処理部を備えている、生化学検査システム。
【請求項４】
請求項３に記載の生化学検査システムであって、
前記生化学検査装置においては、前記検体の生化学検査が開始される前には、前記検体に代えて、前記光源から発せられた光の進行路に予備検査用部材が配置され、かつこの予備検査用部材を透過し、または反射した光が前記受光部に受光される予備検査が実行され、
前記生化学検査装置のコンディションに関するデータとしては、前記予備検査において前記受光部から出力される信号のデータを含む予備検査データがあり、
前記管理サーバは、前記予備検査データを受信した際には、前記生化学検査装置の過去の予備検査データに基づいて、前記予備検査データが正常な範囲にあるか否かを判断するように構成されている、生化学検査システム。
【請求項５】
請求項３または４に記載の生化学検査システムであって、
前記生化学検査装置は、カメラ付きの携帯型通信端末と、分析用補助装置と、を組み合わせて構成されており、
前記分析用補助装置は、前記携帯型通信端末を配置可能な通信端末配置部と、検体と試薬との呈色反応を生じさせるための分析用チップがセットされるチップ装着部とを備え、かつ前記チップ装着部には、このチップ装着部に前記分析用チップがセットされた状態において前記呈色反応が生じた部分に前記光源から光を照射して前記呈色反応部分の透過光または反射光を前記携帯型通信端末のカメラに入射させるための光通過部が設けられてお
り、
前記携帯型通信端末のカメラは、前記受光部として利用されており、
前記携帯型通信端末が具備するデータ処理部は、前記濃度演算処理部として利用され、前記呈色反応部分の透過光または反射光が前記光通過部を通過して前記カメラに入射した際には、前記カメラから出力される撮像画像信号のデータに基づいて前記濃度演算処理を実行可能とされている、生化学検査システム。
【発明の詳細な説明】
【技術分野】
【０００１】
本発明は、健康診断などを目的とする生化学検査を好適に行なうことが可能な生化学検査システムに関する。
【背景技術】
【０００２】
健康診断を行なうためのシステムの具体例として、特許文献１に記載のものがある。
同文献に記載されたシステムにおいては、生体情報を得るための検査装置と管理サーバとがインターネット接続可能とされており、検査装置を利用して得られた患者の生体情報が管理サーバに送信されるように構成されている。管理サーバにおいては、受信した生体情報が順次記憶され、その記憶内容は、患者や医師が通信端末を利用して適宜閲覧できるようになっている。
このような構成によれば、管理サーバに記憶された生体情報を医師が閲覧することにより、患者の健康状態を診断し、患者にアドバイスを行なうことができる。患者自身も、管理サーバに適宜アクセスすることにより、自分の健康状態を把握し、健康管理に役立たせることが可能である。
【０００３】
しかしながら、前記従来技術においては、次のように改善すべき余地があった。
【０００４】
すなわち、検査装置としては、血液や尿などの検体中の特定成分濃度を光学的あるいは電気的な手法を用いて測定する生化学検査装置を用いたい場合がある。ただし、このような生化学検査装置においては、たとえば患者の身長や体重を測定するといった比較的単純な構造の装置とは異なり、使用時における検査装置の各部のコンディションが所定の厳格な条件に設定されていなければならない場合が多い。たとえば、検体を光学的な手法で検査する装置においては、光源の発光強度が所定の範囲内にあること、受光素子が所定の感度を有していること、および光源から受光素子までの光路途中に透明板が設けられている場合には、この透明板に汚れがないことなどの条件が適切に満たされている必要がある。その反面、生化学検査装置がそのような適正なコンディションにあるか否かについての判断は、検査装置の使用者（患者あるいは医師など）にとって容易ではない。とくに、光源や受光素子は経年変化により機能低下を生じる虞がある。また、使用者の過誤に起因して検体が透明板に付着し、透明板が汚れるといった機会も多い。
このようなことから、従来においては、生化学検査装置を利用して得られた検査結果に十分な信頼をおくことができない虞があった。また、生化学検査装置が適正なコンディションではないにも拘わらず、これに気付くことなく生化学検査が行なわれ、この検査結果が正しいものとして誤解される虞もあった。このような虞は、適切に解消されることが望まれる。
なお、生化学検査装置が適正な状態にあるか否かを判断するための手段として、生化学検査装置自体にある程度の判別機能をもたせることは可能である。ところが、生化学検査装置の各部のコンディションが、たとえば経年変化によって悪化したような場合などには、生化学検査装置自体にもたせた判別機能によってそのようなことを的確に判断させることは難しい。
【先行技術文献】
【特許文献】
【０００５】
【特許文献１】特開２００２−８３０６６号公報
【発明の概要】
【発明が解決しようとする課題】
【０００６】
本発明は、前記したような事情のもとで考え出されたものであって、生化学検査装置が適正なコンディションであるか否かを容易かつ的確に判別できるようにし、生化学検査装置を利用して得られた検査結果の信頼性を高めることや、不適切な検査結果を適切な検査結果であると誤解するようなことを適切に解消することが可能な生化学検査システムを提供することを、その課題としている。
【課題を解決するための手段】
【０００７】
本発明においては、上述した課題を解決するため、次のような技術的手段を講じている。
【０００８】
本発明により提供される生化学検査装置は、通信機能を備えた生化学検査装置と、この生化学検査装置との相互間で通信網を利用したデータ通信が可能であり、かつ前記生化学検査装置から送信されてきたデータを記憶部に順次記憶する処理を実行可能な管理サーバと、を備えている、生化学検査システムであって、前記生化学検査装置は、この生化学検査装置のコンディションに関するデータを前記管理サーバに対して所定の時期に送信可能であり、前記管理サーバは、前記コンディションに関するデータを受信した際には、それ以前に受信した前記生化学検査装置のコンディションに関するデータに基づいて、前記生化学検査装置の現在のコンディションが正常であるか否かを判断し、かつ現在のコンディションが正常であると判断したときには、前記生化学検査装置を認証する旨のデータを前記生化学検査装置に送信する一方、そうでないときには、前記認証する旨のデータを前記生化学検査装置に送信しない構成とされていることを特徴としている。
【０００９】
本発明においては、次のような効果が得られる。
第１に、生化学検査装置のコンディションが正常であるか否かが管理サーバにより判断され、かつ正常である場合には前記生化学検査装置が認証され、そうでない場合には認証されないために、生化学検査装置のユーザは、前記認証を受けるか否かによって、生化学検査装置が正常に作動するか否かを容易かつ的確に察知することが可能である。したがって、前記認証を受けた場合の生化学検査の結果に信頼をおくことが可能となる。一方、生化学検査装置のコンディションが正常でない状態で生化学検査を行なった場合には、認証を受けないこととなるため、生化学検査の結果が適正なものであると誤解される虞をなくすことができる。
第２に、管理サーバにおいては、生化学検査装置の過去のコンディションのデータに基づいて、生化学検査装置の現在のコンディションが正常であるか否かが判断されるために、現在のコンディションのデータのみに基づいてこのコンディションが正常であるか否かを判断する場合よりも、客観性に優れた妥当な判断を行なうことが可能となる。
第３に、生化学検査装置のコンディションのデータは、管理サーバに順次記憶されるために、生化学検査装置自体にコンディションのデータを順次記憶させて蓄積させる必要はない。したがって生化学検査装置に大容量の記憶部を具備させるといった必要はなく、生化学検査装置のデータ処理負担の軽減、ならびに製造コストの低減を図ることが可能である。
【００１０】
本発明において、好ましくは、前記生化学検査装置のコンディションに関するデータが前記管理サーバに送信される時期は、前記生化学検査装置を利用して検体の生化学検査が実行される前であり、前記管理サーバが、前記生化学検査装置の現在のコンディションが正常ではないと判断したときには、その内容および現在のコンディションを正常にするための操作内容の少なくとも一方を報知するためのデータが、前記生化学検査装置に送信される構成とされている。
【００１１】
このような構成によれば、生化学検査が実行される前に、生化学検査装置のコンディションが正常であるか否かが判断されるために、コンディションが正常でないにも拘わらず
、生化学検査が無駄に実行されることを回避することができる。また、コンディションが正常でない場合には、その内容およびコンディションを正常にするための操作内容の少なくとも一方が報知されるために、生化学検査装置を正常なコンディションに手際よく修正し、生化学検査を円滑に進めることができる。
【００１２】
本発明において、前記生化学検査装置は、検体に光を照射するための光源、この光源から発せられて前記検体を透過した光または前記検体により反射された光を受光してその受光量に対応した信号を出力する受光部、およびこの受光部から出力される信号のデータに基づいて前記検体中の特定成分の濃度演算処理を実行する濃度演算処理部を備えた構成とすることができる。
このような構成によれば、光学的な手法による検体の分析が可能である。
【００１３】
本発明において、好ましくは、前記生化学検査装置においては、前記検体の生化学検査が開始される前には、前記検体に代えて、前記光源から発せられた光の進行路に予備検査用部材が配置され、かつこの予備検査用部材を透過し、または反射した光が前記受光部に受光される予備検査が実行され、前記生化学検査装置のコンディションに関するデータとしては、前記予備検査において前記受光部から出力される信号のデータを含む予備検査データがあり、前記管理サーバは、前記予備検査データを受信した際には、前記生化学検査装置の過去の予備検査データに基づいて、前記予備検査データが正常な範囲にあるか否かを判断するように構成されている。
【００１４】
このような構成によれば、光源の発光強度、受光部の受光感度、光源から受光部までの光路が正常か否かといったことが、効率よく、かつ適切に判断することが可能である。
【００１５】
本発明において、好ましくは、前記生化学検査装置は、カメラ付きの携帯型通信端末と、分析用補助装置と、を組み合わせて構成されており、前記分析用補助装置は、前記携帯型通信端末を配置可能な通信端末配置部と、検体と試薬との呈色反応を生じさせるための分析用チップがセットされるチップ装着部とを備え、かつ前記チップ装着部には、このチップ装着部に前記分析用チップがセットされた状態において前記呈色反応が生じた部分に前記光源から光を照射して前記呈色反応部分の透過光または反射光を前記携帯型通信端末のカメラに入射させるための光通過部が設けられており、前記携帯型通信端末のカメラは、前記受光部として利用されており、前記携帯型通信端末が具備するデータ処理部は、前記濃度演算処理部として利用され、前記呈色反応部分の透過光または反射光が前記光通過部を通過して前記カメラに入射した際には、前記カメラから出力される撮像画像信号のデータに基づいて前記濃度演算処理を実行可能とされている。
ここで、携帯型通信端末の具体例としては、携帯電話機、スマートフォン、および携帯型タブレット端末などが挙げられる。
【００１６】
このような構成によれば、次のような効果が得られる。
第１に、携帯型通信端末のカメラおよびデータ処理部は、生化学検査専用に構成された従来一般の生化学検査装置の受光部および濃度演算処理部を構成しており、分析用補助装置には、それらに相当する手段を設ける必要はない。検査結果を出力させるための手段としては、携帯型通信端末から外部の適当なプリンタに検査結果のデータを送信して印字出力させるといった手段を採用したり、あるいは携帯型通信端末に具備されているディスプレイに表示させるといった手段を適用することもできる。したがって、分析用補助装置の構成を簡素にすることができる。一方、携帯型通信端末は、生化学検査装置を構成する機器として特化したものである必要はなく、ユーザが所有するスマートフォンなどを有効に利用することができる。このように、前記した構成の生化学検査装置は、携帯型通信端末を効率よく、かつ有効に利用した合理的な構成とされており、システム全体の実質的な製造コストを従来よりも廉価にし、ポイントオブケアを普及・促進する上で好ましいものと
なる。また、全体の小型化を促進し、取り扱い性に優れたものとすることもできる。
第２に、携帯型通信端末として、たとえばスマートフォンが用いられる場合、このスマートフォンは、生化学検査に特化したものではないため、ユーザからの信頼を十分に確保することが重要であり、このことが携帯型通信端末を利用した生化学検査の普及に役立つと考えられる。これに対し、本発明によれば、携帯型通信端末と分析用補助装置とを組み合わせて構成される生化学検査装置のコンディションが正常であるか否かが適切に判断され、正常である場合にはその旨の認証が行なわれるために、装置に対するユーザの信頼性を十分に高めることができることとなる。
【００１７】
本発明のその他の特徴および利点は、添付図面を参照して以下に行なう発明の実施の形態の説明から、より明らかになるであろう。
【図面の簡単な説明】
【００１８】
【図１】本発明に係る生化学検査システムの一例を示す概略説明図である。
【図２】図１に示す生化学検査システムを構成する生化学検査装置の斜視図である。
【図３】図２に示す生化学検査装置の概略構成を模式的に示す断面図である。
【図４】図１に示す生化学検査装置を構成する携帯型通信端末のハード構成を示すブロック図である。
【図５】（ａ）は、図２に示す生化学検査装置で用いられる分析用チップの一例を示す平面図であり、（ｂ）は、（ａ）のＶｂ−Ｖｂ断面図である。
【図６】（ａ）は、図１に示す生化学検査装置で用いられる予備検査用チップの一例を示す平面図であり、（ｂ）は、（ａ）のVIｂ−VIｂ断面図である。
【図７】図１に示す生化学検査装置で用いられる予備検査用チップの他の例を示す平面図である。
【図８】図２に示す生化学検査装置で実行される検体分析の基本的な動作処理手順の一例を示すフローチャートである。
【図９】（ａ），（ｂ）は、図２に示す生化学検査装置において携帯型通信端末のカメラによって撮像される領域の例を模式的に示す説明図である。
【図１０】カメラによる撮像画像の例を模式的に示す要部拡大図である。
【図１１】図１０に示した画像の列Ｌ１の画素とその信号レベルとの関係を示す図である。
【図１２】カメラによる撮像画像において反応室を特定する動作処理手順の一例を示すフローチャートである。
【図１３】携帯型通信端末のデータ処理部による動作処理手順の一例を示すフローチャートである。
【図１４】分析用補助装置において実行される動作処理手順の一例を示すフローチャートである。
【図１５】（ａ），（ｂ）は、補正用データを作成する手法の一例を示す説明図である。
【図１６】（ａ），（ｂ）は、補正用データを作成する手法の一例を示す説明図である。
【図１７】（ａ），（ｂ）は、補正用データを作成する手法の一例を示す説明図である。
【図１８】（ａ），（ｂ）は、データ補正を行なう場合と行なわない場合との比較例を示す説明図である。
【図１９】（ａ），（ｂ）は、データ補正を行なう場合と行なわない場合との比較例を示す説明図である。
【図２０】図１に生化学検査システムで実行される動作処理手順の一例を示すフローチャートである。
【発明を実施するための形態】
【００１９】
以下、本発明の好ましい実施の形態について、図面を参照して具体的に説明する。
【００２０】
図１に示す生化学検査システムＳＹは、複数の生化学検査装置Ａ（Ａ１〜Ａｎ）、および各生化学検査装置Ａと公衆通信網Ｎを介して通信接続可能な管理サーバ８を備えている。
【００２１】
〔生化学検査装置Ａおよびこれに関連する構成〕
各生化学検査装置Ａは、カメラ２５を備えた携帯型通信端末Ｂと、分析用補助装置Ｃとを組み合わせて構成されている。携帯型通信端末Ｂは、たとえばスマートフォンである。生化学検査装置Ａは、後述するように、検体３の所定成分の濃度を測定可能である。検体３は、血液である。検体３の分析処理には、後述する分析用チップ１が利用される。一方、生化学検査の前には、後述するように、予備検査用チップ４を用いた予備検査が実行される。
【００２２】
理解の容易のため、図５を参照して、分析用チップ１の構造を先ず説明する。
分析用チップ１は、使い捨てタイプであり、複数の反応室１２を有している。各反応室１２には、呈色反応用の試薬１３が配されており、各反応室１２に検体３が供給されることにより、検体３と試薬１３との呈色反応が生じる。この呈色反応の度合いは、検体３中の特定成分の濃度に対応する。したがって、前記呈色反応の光学的特性に基づき、検体３中の特定成分の濃度を求めることができる。図面においては、４つの反応室１２が設けられた例を示しており、検体３についての４種類の生化学検査を同時に実行することが可能である。ただし、反応室１２の数は、これに限定されない。複数の反応室１２のうち、たとえば１つの反応室１２については、試薬１３が配されていない参照用の反応室とし、検体３が呈色反応を生じていない状態で検体３の光学的特性を検査する構成とすることもできる。
【００２３】
分析用チップ１は、透明なシート体１０ａ〜１０ｃと、遮光カバー１４とが積層された構成を有している。分析用チップ１の上面部には、複数の反応室１２に対して複数の流路１１を介して連通するリザーバ部１５が設けられている。このリザーバ部１５の開口部１５ａに検体３が滴下された状態において、キャップ１６をリザーバ部１５に装着し、キャップ１６を押圧変形させると、検体３は、流路１１から複数の反応室１２に分岐して流れ込む。すると、検体３と試薬１３との呈色反応が開始する。流路１１の終端は、空気抜き用の孔部１１ａに相当する。遮光カバー１４のうち、各反応室１２の直上に相当する部分には、開口部１４ａが設けられている。検体３の分析処理に際し、反応室１２において生じる呈色反応は、携帯型通信端末Ｂのカメラ２５によって開口部１４ａの上方から撮像される。開口部１４ａは、反応室１２と同様な円形状であり、その直径は、反応室１２の直径と同一またはそれよりも僅かに小径である。
【００２４】
図２および図３に示すように、分析用補助装置Ｃは、全体の概略形状がたとえば略直方体状に形成された樹脂製の筐体４、携帯型通信端末Ｂを載置させるための載置部４０、筐体４内に設けられたチップ装着部２３、光源２１、制御部５０、通信回路５１、予備検査用チップ４の移載装置５２、および分析用チップ１のキャップ１６を押圧するためのキャップ押圧装置５３などを備えている。
【００２５】
筐体４は、たとえば樹脂製であり、下面開口部が蓋体４４を用いて閉塞可能な構造とされ、内部に外乱光や埃が進入し難い構造である。チップ装着部２３は、筐体２０の側面に差し込み口２３ｃを設けることにより構成されており、この差し込み口２３ｃに分析用チップ１が差し込まれた際に、この分析用チップ１を安定的に固定させて載置させておくための載置台２３ａを有している。載置台２３ａには、温調ヒータ２３ｂが設けられ、検体
３と試薬１３との呈色反応を生じさせる際の温度を所定の温度範囲に維持可能とされている。
【００２６】
光源２１（２１ａ〜２１ｄ）は、たとえばＬＥＤ光源であり、チップ装着部２３の下方に設けられている。光源２１ａ〜２１ｄは、光の中心波長が互いに相違している。光源２１ａ〜２１ｄからそれぞれ発せられる光の中心波長は、たとえば４０５ｎｍ、４５０ｎｍ、５７０ｎｍ、および６３０ｎｍである。携帯型通信端末Ｂに搭載されているカメラ２５は、後述するように、ＲＧＢのカラーフィルタ２５ｂを備えているが、このＲＧＢのカラーフィルタ２５ｂは、トータルすると、３８０〜７００ｎｍの波長域の光を高い透過率で透過させる。前記した光源２１は、そのような波長域内の光を発するものである。好ましくは、光源２１ａ〜２１ｄは、個別に点灯駆動させることが可能であり、検体３の分析に際し、呈色反応の種類などに応じて適切な中心波長の光が選択される。波長の切り替えは、光源２１ａ〜２１ｄを個別に点灯駆動させることに代えて、たとえば光源２１ａ〜２１ｄのそれぞれから発せられる光を個別に遮ることが可能なシャッタ機構を用いることもできる。光源２１から発せられた光は、光散乱板２２を介して拡散されてから、分析用チップ１の複数の反応室１２およびその周辺領域に対してその下方から略均一に照射される。
【００２７】
筐体４の上面部は、携帯型通信端末Ｂ用の載置部４０とされている。この載置部４０には、たとえば図２に示すような位置決め用のガイド４２，４３が設けられており、載置部４０上に携帯型通信端末Ｂを載置した際にその位置決めが可能とされている。載置部４０には、分析用チップ１の反応室１２を透過してきた光を通過させて携帯型通信端末Ｂのカメラ２５に入射させるための光通過部４１が設けられている。この光通過部４１は、たとえば載置部４０を構成する筐体４の上壁部に貫通孔を設け、かつこの貫通孔を透光性に優れるカバー部材によって塞いだ構成とすることができる。位置決め用のガイド４２は、携帯型通信端末Ｂの先端部を付き当てるための部分であり、好ましくは、携帯型通信端末Ｂの長手方向に位置調整自在である。他の一対のガイド４３は、携帯型通信端末Ｂをその両側から挟み込むための部分であり、好ましくは、携帯型通信端末Ｂの幅方向に位置調整自在である。携帯型通信端末Ｂは、カメラ２５が光通過部４１の直上に位置するように載置部４０上に配置される。
【００２８】
図３において、通信回路５１は、携帯型通信端末Ｂとの間で無線通信を可能とするものであり、たとえばＷｉ-Ｆｉ対応である。ただし、この通信回路５１と携帯型通信端末Ｂとを配線接続することにより、これらの相互間で通信させるようにしてもよい。制御部５０は、携帯型通信端末Ｂからの指令を受けて分析用補助装置Ｃの各部の動作制御を行なう。生化学検査装置Ａにおいては、後述するように、各部の動作制御や演算処理を携帯型通信端末Ｂのデータ処理部２８に負担させることができるため、制御部５０としては、かなり小型の廉価なマイコンを用いた構成とすることが可能であり、さらにはマイコンを用いた制御部５０自体が実質的に用いられていない構成とすることもできる。
【００２９】
予備検査用チップ４は、検体３の分析処理に先立って実行される予備検査に用いられる。この予備検査用チップ４は、たとえば図６に示すように、チップ本体４０と、このチップ本体４０に設けられた複数の貫通孔４１内に装着されている複数のＮＤフィルタＦ１〜Ｆ７とを備えている。ＮＤフィルタが装着されていない貫通孔４１（４１ａ）も設けられている。複数のＮＤフィルタＦ１〜Ｆ７の光の透過率は互いに相違しており、ＮＤフィルタＦ１〜Ｆ７の順序で透過率は徐々に低くなっている。予備検査用チップ４を用いた予備検査の詳細については後述する。
【００３０】
図３において、予備検査用チップ４の移載装置５２は、チップ装着部２３に分析用チップ１が装着されていない状態において、予備検査用チップ４をチップ装着部２３に配置させる動作と、チップ装着部２３から退避させる動作とが可能なものである。図３において
は、移載装置５２を模式的に示し、また予備検査用チップ４が上下方向に比較的大きく移動する様子に示されているが、実際には、予備検査用チップ４は、たとえばチップ装着部２３の横（図３の紙面と直交する方向）に退避した位置から略水平に移動してチップ装着部２３上に配置される動作と、チップ装着部２３上の位置から元の退避位置に略水平に移動する動作を行なわせるだけでよい。移載装置５２は、予備検査用チップ４を略水平方向に往復動させる機構を備えた構成とすることができる。
ただし、移載装置５２は、省略することが可能である。たとえば、図７に示す予備検査用チップ４Ａは、チップ本体４０Ａが図６に示すチップ本体４０よりも長寸法とされており、ユーザがチップ本体４０Ａの一端部を指で摘んで分析用補助装置Ｃの外部からチップ装着部２３に装着脱可能である。このような予備検査用チップ４Ａを用いる場合には、移載装置５２は不要である。
【００３１】
図３におけるキャップ押圧装置５３は、分析用チップ１のキャップ１６を押圧するための装置であり、キャップ１６の上部に当接させるための当接部材５３ａと、この当接部材５３ａを昇降させるアクチュエータ５３ｂとを用いて構成されている。既述したように、分析用チップ１は、キャップ１６が押圧されることにより、検体３が反応室１２側に流れ、この反応室１２において検体３と試薬１３との呈色反応を生じさせることができる。
ただし、キャップ押圧装置５３は、省略することが可能である。たとえば、分析用チップ１をチップ装着部２３に装着させた際に、キャップ１６が筐体４の外部に位置する構成としておけば（図３においては、筐体４内にキャップ１６が位置している）、キャップ１６をユーザが指で押圧することが可能である。このような方式を採用する場合には、キャップ押圧装置５３は不要である。
【００３２】
携帯型通信端末Ｂは、既述したように、たとえばカメラ２５を備えたスマートフォンであるが、図４に示すように、データ処理部２８の記憶部２８ａに検体分析処理用の制御プログラムＰ１が記憶されている点を除くと、それ以外の構成は一般のスマートフォンと同様である。すなわち、携帯型通信端末Ｂは、前記したデータ処理部２８やカメラ２５に加え、通信回路７０、液晶パネルや有機ＥＬパネルなどを用いて構成された表示部７１、タッチパネル方式の操作部７２、およびスピーカ７３を備えている。データ処理部２８は、携帯型通信端末Ｂの各部の動作処理やデータ処理を実行するものであるが、検体分析処理用の制御プログラムＰ１を記憶していることにより、検体３の特定成分の濃度を演算する濃度演算処理部としても機能する。
【００３３】
カメラ２５は、検体分析処理を行なう際には、光源２１から発せられて呈色反応部分１２ａを透過してきた光を受光するための受光部として利用され、呈色反応部分１２ａを撮像可能である。このカメラ２５は、具体的には、集光レンズ２５ａ、ＲＧＢのカラーフィルタ２５ｂ、およびイメージセンサ２５ｃを組み合わせて構成されている。イメージセンサ２５ｃは、たとえばＣＣＤまたはＣＭＯＳなどのエリアイメージセンサである。カラーフィルタ２５ｂは、イメージセンサ２５ｃの複数の受光素子のそれぞれに対応して設けられており、ＲＧＢの３種類がある。このため、イメージセンサ２５ｃからは、撮像画像信号として、ＲＧＢのそれぞれの受光量に対応した出力レベル（電圧レベル）の３種類の信号を出力可能である。カメラ２５から出力されるアナログの撮像画像信号は、増幅部２６によって増幅された後に、Ａ／Ｄ変換部２７によってデジタル信号に変換されてからデータ処理部２８に入力する。
【００３４】
携帯型通信端末Ｂが載置部４０上に載置された状態においては、カメラ２５の撮像範囲は、分析用チップ１の複数の反応室１２が設けられている領域よりも広い範囲となっている。このため、カメラ２５は、分析用チップ１をチップ装着部２３に装着させた状態で撮像する場合、複数の反応室１２とその周辺領域とを一括して撮像可能である。カメラ２５が受ける光は、光源２１から発せられて分析用チップ１を透過してきた光とすることがで
きるため、カメラ２５で撮像された画像の信号レベルに基づき、分析用チップ１の所定部位の吸光度を測定可能である。
【００３５】
光源２１は、点灯駆動時間を複数段階で変更可能とされている。カメラ２５による撮像画像としては、光源２１の点灯駆動時間が長い場合には明るめの撮像画像が得られ、前記時間が短い場合には暗めの撮像画像が得られる。検体３と試薬１３との呈色反応部分の色彩およびその明度などは一様ではないため、呈色反応部分の吸光度を求めるのに最適な明るさの撮像画像が得られるように、光源２１の点灯駆動時間が制御される。あるいは、明るさが異なる複数の画像を撮像した後に、それらの中から最適と判断される画像が選択され、この選択された画像に基づいて吸光度が求められる。
【００３６】
〔生化学検査の基本的な動作〕
次に、生化学検査装置Ａを利用した生化学検査（検体３の分析処理）の基本的な動作手順について、図８のフローチャートを参照して説明する。管理サーバ８と関連する構成については後述する。
【００３７】
まず、光源２１が点灯駆動された状態において、分析用チップ１の複数の反応室１２を、検体３が未だ供給されていない状態でカメラ２５により撮像する（Ｓ１，Ｓ２）。この場合、複数の反応室１２に加えてその周辺領域も一括して撮像する。このことにより、たとえば図９（ａ）に示すように、分析用チップ１のうち、複数の反応室１２の全てとその周辺領域とを一括して撮像したサブ画像Ｉａのデータが得られる。
【００３８】
各反応室１２の周辺領域は、黒色の遮光カバー１４であるのに対し、各反応室１２は、内部に試薬１３を有するものの、透光性を有する部分である。データ処理部２８は、各反応室１２とその周辺領域との透光性の相違を利用し、サブ画像Ｉａのデータ中における各反応室１２の位置を特定する（Ｓ３）。ただし、その詳細については、後述する。サブ画像Ｉａを撮像する際には、光源２１ａ〜２１ｄのいずれか１つのみを点灯駆動させるだけでもよい。その後、各反応室１２に検体３が供給されると、各反応室１２において検体３と試薬１３とが混合されて呈色反応を生じる。この呈色反応を生じた状態においても、カメラ２５による撮像がなされる。このことにより、たとえば図９（ｂ）に示すように、呈色反応部分１２ａ（反応室１２）の全てとその周辺領域とを一括して撮像したメイン画像Ｉｂのデータが得られる（Ｓ４：ＹＥＳ，Ｓ５）。メイン画像Ｉｂとサブ画像Ｉａとは、撮像範囲が同一であり、これらは各反応室１２において呈色反応を生じている画像であるか否かが相違するだけである。
【００３９】
データ処理部２８は、前記したメイン画像Ｉｂを撮像した後には、この画像データの中から、各呈色反応部分１２ａの画像データを選出する（Ｓ６）。この選出処理は、メイン画像Ｉｂのデータの中から、ステップＳ３において特定した各反応室１２の画像データと位置が同一のデータを選出することにより行なう。メイン画像Ｉｂのデータにおいては、各呈色反応部分１２ａとその周辺領域との明度差が小さくなる可能性があり、各呈色反応部分１２ａの位置を正確に特定する処理が煩雑化するが、本実施形態の処理方法によれば、そのような不具合が解消される。
【００４０】
次いで、データ処理部２８は、前記した呈色反応部分１２ａの画像のデータから気泡やダスト類の画像データなどの異常データを排除する処理を実行する（Ｓ７）。図示説明は省略するが、呈色反応部分１２に気泡が混入した場合、この気泡の周縁部は、光源２１から進行してきた光を高い反射率で反射する。したがって、撮像画像において、気泡の画像の周縁部は正常な呈色反応部分の画像領域よりも暗い画像となる。一方、気泡の中央寄り部分は、光源２１から進行してきた光を多く透過させる特性をもち、気泡の画像５の中央寄り部分は、いわゆる白抜け状態の画像となる。したがって、このような画像の有無を判
断し、該当する画像があれば、この部分の画像は気泡の画像などの異常データであるとして除外することができる。
【００４１】
データ処理部２８は、呈色反応部分１２ａの画像のデータのうち、前記した異常データを排除した後には、その残余のデータに基づいて、検体３の特定成分の濃度を演算する（Ｓ８）。この演算処理は、まず呈色反応部分１２ａの吸光度を求めた後に、この吸光度を記憶部２８ａに記憶されている検量線のデータと照合することにより行なわれる。
【００４２】
前記した一連の動作手順のうち、ステップＳ３における各反応室１２の位置特定処理は、たとえば次のような手法を用いて実行される。
【００４３】
まず、図１０に示す画像Ｉａ’は、サブ画像Ｉａの一部（２つの反応室１２とその周辺領域の画像）が模式的に示されたものであり、複数の画素４０の集合体である（同図の格子によって囲まれた細かい桝目のそれぞれは画素４０に相当する）。同図において、列Ｌ１の各画素４０の信号レベルは、図１１に示すような状態である。同図において、信号レベルの高低が「カウント値」で示されているが、この「カウント値」は、カメラ２５から出力されるアナログ信号のレベルを一定の規則にしたがって数値化（デジタル化）した値である。カウント値が大きいほど、画素４０の信号レベルが高い（画素４０が明るい）。
同図においては、列Ｌ１の複数の画素４０のうち、反応室１２の領域に相当する画素４０ａ，４０ｂ間、および画素４０ｃ，４０ｄ間に位置する画素４０の信号レベルは高く、それ以外の画素４０の信号レベルは低い。これは、反応室１２は、透光性を有しているのに対し、反応室１２の周辺領域には、遮光カバー１４が位置しているからである。
【００４４】
データ処理部２８は、前記したような撮像画像を対象とし、図１２のフローチャートに示すような処理を実行する。
すなわち、データ処理部２８は、サブ画像Ｉａのデータを取り込んだ後には、所定のカウント値（たとえば、図１０では、カウント値「１００，０００」）を閾値ＴＨ１として設定し、複数の画素４０のデータの中から、閾値ＴＨ１を超える信号レベルの画素データを選出する（Ｓ２０，Ｓ２１）。このことにより、受光量が多い画素データが選出される。次いで、データ処理部２８は、そのようにして選出された画素データの信号レベルの平均値または中央値を求めてから、この平均値または中央値に基づき乖離範囲（分散範囲）を設定し、この乖離範囲内にある画素データの集合を、反応室１２の画像のデータであると仮判断する（Ｓ２２，Ｓ２３）。
【００４５】
その後は、前記の仮判断の妥当性が判断される（Ｓ２４）。この判断においては、たとえば反応室１２の画像のデータであると仮判断されたデータのサイズや位置が、所定の範囲から大きく逸脱していないか否かといったことが判断され、データのサイズや位置が明らかに異常であるような場合には、前記データは反応室１２の画像のデータではないと判断される（Ｓ２４：ＮＯ，Ｓ２７）。このことにより、たとえば分析用チップ１の空気抜き用の孔部１１ａや、分析用チップ１の周囲の領域が、反応室１２であると過誤判断されることは回避される。前記の仮判断が妥当であると判断される場合には、その判断が確定され、反応室１２の画像のデータの位置が記憶部２８ａに記憶される（Ｓ２４：ＹＥＳ，Ｓ２５）。前記した処理は、サブ画像Ｉａのデータの全てについて終了するまで繰り返し実行される（Ｓ２６）。このため、複数の反応室１２のそれぞれの位置が適切に特定される。
【００４６】
〔携帯型通信端末と分析用補助装置との協働動作〕
次に、携帯型通信端末Ｂと分析用補助装置Ｃとの協働による具体的な動作処理手順の一連について、図１３および図１４のフローチャートを参照しつつ説明する。
【００４７】
まず、携帯型通信端末Ｂの操作部７２において、ユーザにより所定のスイッチ操作がなされると、携帯型通信端末Ｂは、分析処理対応モードに設定され、その旨が表示部７１に画面表示される（Ｓ３１：ＹＥＳ，Ｓ３２）。携帯型通信端末Ｂが分析処理対応モードに設定されるための条件としては、スイッチ操作に代えて、たとえば携帯型通信端末Ｂと分析用補助装置Ｃとが配線を介して通信接続される仕様である場合に、この配線接続されることを条件としてもよい。データ処理部２８は、前記した分析処理対応モードになると、分析用補助装置Ｃに対して測定準備を開始すべき旨を指令するデータ送信を行ない、表示部７１には待機画面を表示させる（Ｓ３３）。この指令に対応し、分析用補助装置Ｃにおいては、光源２１および温調ヒータ２３ｂがともにオンとされる（Ｓ５１：ＹＥＳ，Ｓ５２）。
【００４８】
分析用補助装置Ｃにおいて前記の測定準備が完了すると、データ処理部２８は、分析用補助装置Ｃに対して予備検査用の補助動作を行なうべき旨を指令するデータ送信を行ない、かつ表示部７１には今から予備検査が実行される旨の画面表示を行なわせる（Ｓ３４：ＹＥＳ，Ｓ３５）。分析用補助装置Ｃにおいて前記測定準備が完了したか否かは、たとえば分析用補助装置Ｃから測定準備が完了した旨の信号を送信させることにより判断させることができる。また、測定準備開始指令がなされてから所定時間が経過した時点で、準備が完了したものと判断させるようにしてもよい。
【００４９】
予備検査は、本来的には、カメラ２５の受光量とその出力信号との関係を検査し、これらをリニアの関係に補正するための補正用データを取得するためのものである。携帯型通信端末Ｂに搭載されているカメラ２５の出力特性は、撮像画像が人の目にとって綺麗に見えるようにするといった観点から、受光量とその出力信号との相対関係はリニアではないのが通例であるため、このことに起因する測定誤差を少なくすることが要望される。予備検査はそのような要望に応え得るものである。ただし、後述するように、予備検査によって得られるデータは、分析用補助装置Ｃのコンディションが正常であるか否かを判断するのにも利用される。
【００５０】
分析用補助装置Ｃにおいては、データ処理部２８から予備検査用の補助動作を行なうべき旨の指令を受けると、予備検査用チップ４をチップ装着部２３に装着させる（Ｓ５３：ＹＥＳ，Ｓ５４）。また、光源２１を予備検査用に点灯駆動させる（Ｓ５５）。この際の光源２１の点灯駆動は、たとえば複数の光源２１（２１ａ〜２１ｄ）のそれぞれを単独で順次駆動させるようにして行なわれる。また、その際にはカメラ２５の露光時間あるいはＩＳＯを変更しながら、前記した各光源２１の単独駆動が複数回にわたって繰り返される。一方、前記した光源２１の点灯駆動が行なわれる際には、カメラ２５を利用して予備検査用チップ４が撮像される（Ｓ３６：ＹＥＳ，Ｓ３７）。予備検査用チップ４の撮像画像Ｉｄの範囲は、たとえば図６に示すような範囲であり、複数のＮＤフィルタＦ１〜Ｆ７、貫通孔４１ａ、およびその周辺部分が撮像される。周辺部分の画像データは、先に述べた手法と同様な手法で除外し、複数のＮＤフィルタＦ１〜Ｆ７および貫通孔４１ａに関するデータのみを選出し、または区別化することが可能である。データ処理部２８は、このような撮像画像のデータに基づき、カメラ出力特性の補正用データを作成する（Ｓ３８）。この補正用データの作成手法は、次のとおりである。
【００５１】
まず、図１５（ａ）に示すようなデータを作成する。同図に示すデータは、光源２１ｄを駆動させて、中心波長が６３０ｎｍの光（赤色光）を予備検査用チップ４に照射することにより得られた撮像画像から、複数のＮＤフィルタＦ１〜Ｆ７の吸光度（測定Ａｂｓ）を算出し、これをプロットしたものである（同図のＦ１〜Ｆ７の符号で示された各ドットは、図６のＮＤフィルタＦ１〜Ｆ７の測定Ａｂｓを示す）。また、同図に示されたデータは、予備検査用チップ４の撮像を３回行なったものである。予備検査用チップ４の貫通孔４１ａの吸光度は、ゼロであり、この貫通孔４１ａの撮像画像の信号は、測定Ａｂｓの算
出基準として利用される。図１５（ａ）に示すように、測定Ａｂｓは、同一直線上にはなく、カメラ２５の受光量と出力信号とはリニアの関係にはないことが理解できる。
【００５２】
次いで、補正用データを作成するには、図１５（ａ）に示したデータに基づき、同図（ｂ）に示すデータを作成する。このデータは、同図（ａ）に示したグラフの縦軸と横軸とを入れ替えたものである。同図（ｂ）において、曲線Ｌａは、ＮＤフィルタＦ１〜Ｆ７の測定Ａｂｓの近似曲線であり、この近似曲線Ｌａの方程式は、たとえば次の式１のとおりである。
ｙ＝０.０９７１３５ｘ3−０.５１５４９７ｘ2＋１.６４５７９１ｘ  …式１
ばらつきは、Ｒ2＝０.９９６６１４である。このような近似曲線の方程式を得ると、この方程式のｘの値として、測定Ａｂｓの値を代入することにより、誤差の殆どない正確な吸光度の値を得ることができる。したがって、式１は、前記補正用データの一例に相当する。
【００５３】
前記した例は、光源２１ｄから発せられる中心波長６３０ｎｍの赤色光について述べたが、これ以外の光源２１ａ〜２１ｃから発せられる他の波長域の光についても、前記と同様な手法を用いて、補正用データとしての方程式を求める。光源２１ａから発せられる青色光については便宜上省略するが、光源２１ｃから発せられる中心波長５７０ｎｍの緑色光、および光源２１ｂから発せられる中心波長４０５ｎｍの青色光については、たとえば図１６および図１７に示すようなデータとなり、正確な吸光度を得るための方程式の例（近似曲線Ｌｂ，Ｌｃの方程式）としては、次の式２，式３となる。
ｙ＝０．１３６９８３ｘ3−０.６４９０１５ｘ2＋１.７２２０１１ｘ  …式２
ばらつきは、Ｒ2＝０.９９８１７７である。
ｙ＝０．１４６０７６ｘ3−０.８１６４０４ｘ2＋１.９３９３００ｘ  …式３
ばらつきは、Ｒ2＝０.９９９３１７である。
【００５４】
図１８および図１９は、そのような補正処理が行なわれた場合と行なわれていない場合との具体例を示している。
図１８（ａ）は、生化学検査装置Ａ（携帯型通信端末Ｂとして、市販されている通常のスマートフォンを使用）を利用してＡＭＹの吸光度を求めた例を示している。ただし、データ補正は行なわれていない。この場合には、高精度の専用検査装置を用いて得られるＡＭＹの吸光度との差がかなり大きいものとなっている。これに対し、同図（ｂ）に示すように、生化学検査装置Ａを利用した場合であって、前述したような補正を行なった場合には、ＡＭＹの吸光度の値が、専用検査装置を用いた得られるＡＭＹの吸光度にかなり近いものとなっている。
図１９（ａ），（ｂ）は、ＡＭＹに代えて、ＴＧを対象としてその吸光度を求めた場合の例を示しているが、やはり同図（ａ）に示す補正なしの場合と比較して、同図（ｂ）に示す補正ありの場合には、ＴＧの吸光度の値が、専用検査装置を用いた場合の値にかなり近いものとなっている。
このような例から理解されるように、本実施形態の生化学検査装置Ａでは、カメラ２５の出力特性に起因して分析結果の精度が低くなることを、前記したような補正処理により、好適に回避し、精度が高く信頼のおける分析結果を得ることが可能である。
【００５５】
前記した補正用データを求めた後には、データ処理部２８は、測定項目（たとえば、ＡＭＹ（アミラーゼ）測定、ＴＧ（中性脂肪）測定、血糖値測定など）や、これに関連する項目を表示部７１に表示させ、ユーザが要望する測定項目を選択させる（Ｓ３９）。この選択操作が終了すると、分析用補助装置Ｃに検体分析用の補助動作の実行指令を行なうとともに、表示部７１には、待機画面を表示させる（Ｓ４０：ＹＥＳ，Ｓ４１）。その際、好ましくは、ユーザには、分析用チップ１をチップ装着部２３に装着することを促す旨のメッセージなども表示される。なお、分析用補助装置Ｃにおいては、予備検査用チップ４
の撮像を終えた段階で、予備検査用チップ４は元の待機状態に復帰させる動作が行なわれており、分析用チップ１の装着に支障を生じないようにされる。分析用補助装置Ｃは、前記の検体分析用の補助動作実行指令を受けると、分析用チップ１のキャップ１６を押圧する動作を実行し、検体分析用の光源点灯駆動を行なわせる（Ｓ５７：ＹＥＳ，Ｓ５８，Ｓ５９）。この場合、点灯駆動対象となる光源２１は、検体の測定項目に好ましい中心波長の光を発する光源とされる。
【００５６】
キャップ１６の押圧により、検体３が反応室１２に供給されると、その後はこの反応室１２において呈色反応が発生するが、そのようなタイミングでカメラ２５により分析用チップ１が撮像され、そのデータがデータ処理部２８に取り込まれる（Ｓ４２：ＹＥＳ，Ｓ４３）。その後は、図８などを参照して説明したように、撮像画像データの中から呈色反応部分１２ａの画像データを選出し、かつ呈色反応部分１２ａの吸光度を求めるが、この吸光度の値については、既述した補正用データを用いて補正し、この補正後の吸光度に基づいて検体３の特定成分の濃度を求める（Ｓ４４）。このようにして求められた分析結果のデータは、測定対象項目やその他の関連事項と一緒に表示部７１に表示出力させ、また携帯型通信端末Ｂに予め登録されているプリンタ９０（図２を参照）に無線送信し、このプリンタ９０を利用して印字出力させる（Ｓ４６）。勿論、プリンタ９０以外のパソコン９１などの装置・機器類に前記データを送信し、データ管理を行なうこともできる。また、携帯型通信端末Ｂにネットワーク上のアドレスを登録しておくことにより、この登録先のアドレスに前記データを送信するといったこともできる。
【００５７】
分析結果のデータ送信などが終了した後には、分析用補助装置Ｃに動作終了の指令を発し、その後は携帯型通信端末Ｂの分析処理対応モードを解除する。その際には、表示部７１に分析処理対応モードが終了した旨の表示を行なわせ、その後に携帯型通信端末Ｂを通常状態の画面表示に復帰させる（Ｓ４７，Ｓ４８）。分析用補助装置Ｃにおいては、前記した動作終了の指令を受けると、光源２１および温調ヒータ２３ｂをオフとする（Ｓ６０：ＹＥＳ，Ｓ６１）。
【００５８】
〔管理サーバ８の構成〕
図１において、管理サーバ８は、通信網Ｎを利用して携帯型通信端末Ｂとの相互間でデータ通信を行なうための通信回路８０、データ処理部８１、および記憶部８２を備えている。データ処理部８１は、機能的にみると、生化学検査装置Ａのコンディションが正常であるか否かを判断するためのコンディション判断部８１ａや、生化学検査装置Ａにおいて実行される生化学検査の測定濃度範囲などを判断する検査条件判断部８１ｂなどを有している。記憶部８２には、各生化学検査装置Ａのコンディションに関するデータＤ１、各生化学検査装置Ａの使用履歴データＤ２、および各生化学検査装置Ａを利用して実行された生化学検査の結果のデータＤ３などが記憶されるように構成されている。
【００５９】
〔生化学検査システムＳＹの動作〕
次に、生化学検査システムＳＹの全体の動作処理手順の一例について、図２０のフローチャートを参照しつつ説明する。同図において、破線で示すステップＳ７３，Ｓ７９は、管理サーバ８における処理であり、これ以外は、生化学検査装置Ａにおける処理である。
【００６０】
まず、生化学検査装置Ａにおいて、予備検査用チップ４を利用した予備検査が実行されると、その際にカメラ２５から出力される信号のデータ（撮像画像データ）が管理サーバ８に送信される（Ｓ７１：ＹＥＳ，Ｓ７２）。このデータは、本発明でいう「生化学検査装置のコンディションに関するデータ」の一例に相当し、具体的には、図６で示した予備検査用チップ４の撮像画像データである。このデータが管理サーバ８に送信される際には、生化学検査装置Ａを特定するためのＩＤコード、および携帯型通信端末Ｂの種別などを示すためのデータも付される。
【００６１】
管理サーバ８は、前記データを受信すると、これを記憶部８２に記憶し、このデータを将来のコンディション判断に利用可能とする。また、前記データを送信してきた生化学検査装置Ａの現在のコンディションが正常であるか否かを判断し、さらには後述するデータ処理を実行する（Ｓ７３）。
【００６２】
生化学検査装置Ａの現在のコンディションが正常であるか否かの判断は、今回受信したコンディションに関するデータに加え、以前に受信した生化学検査装置Ａのコンディションに関するデータ、および生化学検査装置Ａの使用履歴などに基づいて判断される。この場合、携帯型通信端末Ｂが同機種の他の生化学検査装置Ａのコンディションに関するデータも適宜参照することができる。このようなデータの参照は、たとえば生化学検査装置Ａが使い始めの状態にあって、参考となるデータが管理サーバ８に未だ十分に蓄積されていないような場合に有用である。
【００６３】
生化学検査装置Ａのコンディションに関するデータは、既述したように、予備検査用チップ４の撮像画像であるために、たとえば図６の貫通孔４１ａに相当する箇所の撮像画像が所定レベルよりも暗い撮像画像である場合には、光源２１の発光量不足、あるいは光通過部４１に汚れが付着しているといった異常が生じていることが考えられ、このような場合には生化学検査装置Ａのコンディションは正常ではないと判断される。また、貫通孔４１ａならびにＮＤフィルタＦ１〜Ｆ７のそれぞれに相当する複数の撮像画像の明るさに所定の差が生じていない場合、あるいはその差が不当な場合には、予備検査用チップ４自体に異常があると考えられる。この場合には、適正な補正処理が実行できないため、この場合にもコンディションは正常でないと判断される。その他、管理サーバ８には、前記したコンディションのデータに基づいて、光源２１ａ〜２１ｄの各波長ごとの補正用データ（図１５〜図１７を参照して説明した補正用データ）を作成させたり、あるいは生化学検査装置Ａの最大測定吸光度や吸光度分解能などを演算させて、これらの値が妥当であるか否かによって、生化学検査装置Ａのコンディションが正常であるか否かを判断させるように構成することもできる。
【００６４】
管理サーバ８は、生化学検査装置Ａの現在のコンディションが正常であると判断した場合には、生化学検査装置Ａに対して認証番号のデータを送信する。生化学検査装置Ａは、前記の認証番号を受けると、その旨を携帯型通信端末Ｂの表示部７１に表示させるとともに、生化学検査（検体３の分析処理）を実行可能なモードに移行する（Ｓ７４：ＹＥＳ，Ｓ７５）。このモード移行の初期には、測定項目（たとえばＡＭＹ測定、ＴＧ測定、血糖値測定などの項目）が表示部７１に表示されるが、その際に管理サーバ８において先に算出された最大測定吸光度や吸光度分解能などの数値を表示させて、その内容をユーザに報知させるようにしてもよい。また、管理サーバ８において、補正用データを算出した場合には、このデータを生化学検査装置Ａに送信させるようにしてもよい。このような構成によれば、生化学検査装置Ａにおいては補正用データの算出処理を実行する必要がなくなり、生化学検査装置Ａにおけるデータ処理負担が軽減する。
【００６５】
生化学検査が終了した後には、検査結果のデータに、前記認証番号のデータが付加される（Ｓ７６：ＹＥＳ，Ｓ７７）。このことにより、たとえば検査結果のデータを、表示部７１に表示させた場合や、図２に示したプリンタ９０を用いて印字出力した場合には、検査結果のデータに伴って認証番号が表示または印字出力されることとなる。検査結果のデータは、認証番号が付された状態で管理サーバ８に送信され、管理サーバ８においては、このデータが記憶部８２に記憶される（Ｓ７８，Ｓ７９）。好ましくは、このようにして記憶された検査結果のデータは、生化学検査を行なった患者や医師などによって適宜閲覧され、健康状態の推移などを確認するのに利用される。
【００６６】
前記とは異なり、生化学検査装置Ａのコンディションが正常でない場合には、管理サーバ８から生化学検査装置Ａに認証番号のデータは送信されない。この場合、生化学検査装置Ａは、管理サーバ８から正常でないコンディションの内容や、コンディションを正常にするための操作内容のデータを受信することとなり、そのデータが表示部７１に表示出力される（Ｓ７４：ＮＯ，Ｓ８０）。ここで、コンディションを正常にするための操作内容とは、たとえば光通過部４１が汚れている可能性がある場合には、この部分を清掃することを促す内容、あるいは予備検査用チップ４が損傷している可能性がある場合には、予備検査用チップ４を他の新たなものと交換することを促す内容が該当する。
【００６７】
その後、生化学検査装置Ａにおいて、再度の予備検査が実行された場合には、生化学検査装置Ａのコンディションに関するデータが管理サーバ８に再度送信される（Ｓ８１：ＹＥＳ，Ｓ７２）。この場合においても、管理サーバ８においては生化学検査装置Ａの現時点におけるコンディションが正常か否かが再度判断され、コンディションが正常状態になった場合には、生化学検査装置Ａに対して前記した認証番号の付与がなされる。これに対し、認証番号の付与がなされないまま生化学検査が実行された場合には、その検査結果のデータに、未認証である旨のデータが付加される（Ｓ８２：ＹＥＳ，Ｓ８３）。この場合においては、検査結果のデータを表示部７１に表示させ、あるいはプリンタ９０を用いて印字出力させると、検査結果のデータに伴って未認証である旨のデータが表示または印字出力される。
【００６８】
前記したような動作処理によれば、生化学検査装置Ａのユーザは、管理サーバ８から認証を受けるか否かによって、生化学検査装置Ａのコンディションが正常であるか否かを的確に察知することができる。前記認証を受けた場合には、生化学検査の結果に大きな信頼をおくことが可能である。一方、前記認証を受けていない場合の検査結果については、これを適切な高精度の検査結果であると誤解しないようにすることができる。また、前記認証を受けることができない場合には、正常ではないコンディションの内容、およびコンディションを正常にするための操作内容などユーザに報知されるために、生化学検査装置Ａを正常なコンディションに設定することも容易となる。
【００６９】
生化学検査装置Ａの現在のコンディションが正常であるか否かの判断は、管理サーバ８の記憶部８２に記憶されている過去のコンディションのデータ、生化学検査装置Ａの使用履歴、およびその他の前述したようなデータに基づいて行なわれるために、前記判断を的確に行なうことが可能である。さらに、生化学検査装置Ａのコンディションのデータが記憶される先は、管理サーバ８であるために、生化学検査装置Ａ自体にコンディションのデータを順次記憶させていく必要はない。したがって、携帯型通信端末Ｂにメモリ不足が生じるといった不具合を回避することもできる。また、メモリ容量が比較的小さい携帯型通信端末を、生化学検査装置Ａの構成要素として利用することができる。
【００７０】
本実施形態においては、生化学検査装置Ａがカメラ２５を備えた携帯型通信端末Ｂを利用して構成されているために、次のような効果も得られる。
すなわち、携帯型通信端末Ｂのカメラ２５およびデータ処理部２８は、呈色反応部分１２ａなどを透過してきた光を受ける受光部および濃度演算処理部として利用されている。このため、分析用補助装置Ｃには、それらに相当する手段を設ける必要はない。分析結果のデータを出力させるための手段としては、携帯型通信端末Ｂの表示部７１を利用できる他、携帯型通信端末Ｂが本来有する通信機能を利用して、外部のプリンタ９０などに適宜送信するといった手段が簡易に採用することができる。分析用補助装置Ｃにプリンタ９０を具備させる必要もなく、分析用補助装置Ｃの全体構成を簡素にすることが可能である。一方、携帯型通信端末Ｂは、生化学検査装置Ａを構成する機器として特化したものではなく、日常において通話、メール送受信、あるいはインターネット接続などに支障なく使用することが可能である。その結果、たとえば生化学検査装置の全体を専用機器で構成した
場合と比較すると、本実施形態の生化学検査装置Ａは携帯型通信端末Ｂを有効に利用した合理的な構成とされており、システム全体の実質的な製造コストを廉価にすることが可能である。また、システム全体の小型化が容易であり、取り扱い性に優れたものとすることもできる。
【００７１】
分析用補助装置Ｃの各部は、携帯型通信端末Ｂのデータ処理部２８を介して制御されているために、分析用補助装置Ｃに多くの操作スイッチを設け、かつこの操作スイッチをユーザが操作するといった煩わしさを無くすことができる。したがって、操作が容易であり、使い勝手もよい。
カメラ２５によって分析用チップ１の呈色反応部分１２ａを撮像する際には、この呈色反応部分１２ａのみならず、その周辺領域をも撮像されるために、呈色反応部分１２ａのみがカメラによって撮像されるようにカメラ２５と呈色反応部分１２ａとの位置合わせを高精度に行なう必要はない。また、分析用チップ１に設けられている複数の呈色反応部分１２ａを一纏めに撮像して処理することも可能となるために、測定速度を速めることもできる。光源２１や携帯型通信端末Ｂのカメラ２５の位置を、複数の呈色反応部分１２ａのそれぞれに対応する箇所に移動させるといった必要もない。
カメラ２５から出力される撮像画像の信号レベルは、カメラ２５の受光量とリニアの関係にはないものの、本実施形態においては、そのような関係を解消するための補正処理が実行されている。このため、分析結果のデータをかなり正確なものとすることが可能である。
【００７２】
本発明は、上述した実施形態の内容に限定されない。本発明に係る生化学検査システムの各構成要素の具体的な構成は、本発明の意図する範囲内において種々に設計変更可能である。
【００７３】
上述した実施形態においては、カメラ付きの携帯型通信端末を利用して生化学検査装置を構成しているが、本発明はこれに限定されない。本発明でいう生化学検査装置は、携帯型通信端末などを用いない構成、たとえば１つの筐体内に、光源、受光部、および濃度演算処理部が組み込まれたような構成をもつ装置として構成されていてもよい。
【００７４】
生化学検査装置は、検体の透過光を利用して検体の分析を行なうものに限らず、たとえば検体からの反射光を利用し、検体の光反射率や色彩に基づいて検体を分析するように構成することもできる。検体を試薬と反応させているか否かは問わない。
生化学検査装置は、光学的な手法により検体の分析を行なうものに限らない。たとえば、検体に接触させるための電極を備え、かつ電気的な手法によって検体の分析を行なうものでもよい。この場合には、たとえば電極の汚れや断線に起因する導通不良、電極に対する印加電圧の不足、あるいは電極への過度な電圧印加などがあると、生化学検査を適切に行なうことができない。本発明によれば、そのような状況にある場合には、コンディションが正常ではない旨の判断を行なって、生化学検査装置を認証しないようにする反面、コンディションが正常である場合には、生化学検査装置を認証するように構成することが可能である。
【００７５】
生化学検査装置のコンディションに関するデータが管理サーバに送信される時期は、生化学検査が開始される前のタイミングが好ましいものの、やはりこれに限定されず、たとえば生化学検査中などであってもよい。検体は、血液に限定されず、たとえば尿、便などとすることも可能であり、その具体的な種類を問わない。
【符号の説明】
【００７６】
ＳＹ  生化学検査システム
Ａ  生化学検査装置
Ｂ  携帯型通信端末
１  分析用チップ
３  検体
４  予備検査用チップ
１２  反応室
１２ａ  呈色反応部分（反応室）
１３  試薬
２１  光源
２３  チップ装着部
２５  カメラ（受光部）
２８  データ処理部（濃度演算処理部）
４０  載置部
４１  光通過部
５１  通信回路
【図１】
2015169512.tif 000003
【図２】
2015169512.tif 000004
【図３】
2015169512.tif 000005
【図４】
2015169512.tif 000006
【図５】
2015169512.tif 000007
【図６】
2015169512.tif 000008
【図７】
2015169512.tif 000009
【図８】
2015169512.tif 000010
【図９】
2015169512.tif 000011
【図１０】
2015169512.tif 000012
【図１１】
2015169512.tif 000013
【図１２】
2015169512.tif 000014
【図１３】
2015169512.tif 000015
【図１４】
2015169512.tif 000016
【図１５】
2015169512.tif 000017
【図１６】
2015169512.tif 000018
【図１７】
2015169512.tif 000019
【図１８】
2015169512.tif 000020
【図１９】
2015169512.tif 000021
【図２０】
2015169512.tif 000022
【手続補正書】
【提出日】平成27年4月27日(2015.4.27)
【手続補正１】
【補正対象書類名】特許請求の範囲
【補正対象項目名】請求項２
【補正方法】変更
【補正の内容】
【請求項２】
請求項１に記載の生化学検査システムであって、
前記生化学検査装置のコンディションに関するデータが前記管理サーバに送信される時期は、前記生化学検査装置を利用して検体の生化学検査が実行される前であり、
前記管理サーバが、前記生化学検査装置の現在のコンディションが正常ではないと判断したときには、その内容および現在のコンディションを正常にするための操作内容の少なくとも一方を報知するためのデータが、前記生化学検査装置に送信される構成とされている、生化学検査システム。
【手続補正２】
【補正対象書類名】明細書
【補正対象項目名】全文
【補正方法】変更
【補正の内容】
【発明の詳細な説明】
【技術分野】
【０００１】
本発明は、健康診断などを目的とする生化学検査を好適に行なうことが可能な生化学検査システムに関する。
【背景技術】
【０００２】
健康診断を行なうためのシステムの具体例として、特許文献１に記載のものがある。
同文献に記載されたシステムにおいては、生体情報を得るための検査装置と管理サーバとがインターネット接続可能とされており、検査装置を利用して得られた患者の生体情報が管理サーバに送信されるように構成されている。管理サーバにおいては、受信した生体
情報が順次記憶され、その記憶内容は、患者や医師が通信端末を利用して適宜閲覧できるようになっている。
このような構成によれば、管理サーバに記憶された生体情報を医師が閲覧することにより、患者の健康状態を診断し、患者にアドバイスを行なうことができる。患者自身も、管理サーバに適宜アクセスすることにより、自分の健康状態を把握し、健康管理に役立たせることが可能である。
【０００３】
しかしながら、前記従来技術においては、次のように改善すべき余地があった。
【０００４】
すなわち、検査装置としては、血液や尿などの検体中の特定成分濃度を光学的あるいは電気的な手法を用いて測定する生化学検査装置を用いたい場合がある。ただし、このような生化学検査装置においては、たとえば患者の身長や体重を測定するといった比較的単純な構造の装置とは異なり、使用時における検査装置の各部のコンディションが所定の厳格な条件に設定されていなければならない場合が多い。たとえば、検体を光学的な手法で検査する装置においては、光源の発光強度が所定の範囲内にあること、受光素子が所定の感度を有していること、および光源から受光素子までの光路途中に透明板が設けられている場合には、この透明板に汚れがないことなどの条件が適切に満たされている必要がある。その反面、生化学検査装置がそのような適正なコンディションにあるか否かについての判断は、検査装置の使用者（患者あるいは医師など）にとって容易ではない。とくに、光源や受光素子は経年変化により機能低下を生じる虞がある。また、使用者の過誤に起因して検体が透明板に付着し、透明板が汚れるといった機会も多い。
このようなことから、従来においては、生化学検査装置を利用して得られた検査結果に十分な信頼をおくことができない虞があった。また、生化学検査装置が適正なコンディションではないにも拘わらず、これに気付くことなく生化学検査が行なわれ、この検査結果が正しいものとして誤解される虞もあった。このような虞は、適切に解消されることが望まれる。
なお、生化学検査装置が適正な状態にあるか否かを判断するための手段として、生化学検査装置自体にある程度の判別機能をもたせることは可能である。ところが、生化学検査装置の各部のコンディションが、たとえば経年変化によって悪化したような場合などには、生化学検査装置自体にもたせた判別機能によってそのようなことを的確に判断させることは難しい。
【先行技術文献】
【特許文献】
【０００５】
【特許文献１】特開２００２−８３０６６号公報
【発明の概要】
【発明が解決しようとする課題】
【０００６】
本発明は、前記したような事情のもとで考え出されたものであって、生化学検査装置が適正なコンディションであるか否かを容易かつ的確に判別できるようにし、生化学検査装置を利用して得られた検査結果の信頼性を高めることや、不適切な検査結果を適切な検査結果であると誤解するようなことを適切に解消することが可能な生化学検査システムを提供することを、その課題としている。
【課題を解決するための手段】
【０００７】
本発明においては、上述した課題を解決するため、次のような技術的手段を講じている。
【０００８】
本発明により提供される生化学検査システムは、通信機能を備えた生化学検査装置と、この生化学検査装置との相互間で通信網を利用したデータ通信が可能であり、かつ前記生
化学検査装置から送信されてきたデータを記憶部に順次記憶する処理を実行可能な管理サーバと、を備えている、生化学検査システムであって、前記生化学検査装置は、この生化学検査装置のコンディションに関するデータを前記管理サーバに対して所定の時期に送信可能であり、前記管理サーバは、前記コンディションに関するデータを受信した際には、それ以前に受信した前記生化学検査装置のコンディションに関するデータに基づいて、前記生化学検査装置の現在のコンディションが正常であるか否かを判断し、かつ現在のコンディションが正常であると判断したときには、前記生化学検査装置を認証する旨のデータを前記生化学検査装置に送信する一方、そうでないときには、前記認証する旨のデータを前記生化学検査装置に送信しない構成とされていることを特徴としている。
【０００９】
本発明においては、次のような効果が得られる。
第１に、生化学検査装置のコンディションが正常であるか否かが管理サーバにより判断され、かつ正常である場合には前記生化学検査装置が認証され、そうでない場合には認証されないために、生化学検査装置のユーザは、前記認証を受けるか否かによって、生化学検査装置が正常に作動するか否かを容易かつ的確に察知することが可能である。したがって、前記認証を受けた場合の生化学検査の結果に信頼をおくことが可能となる。一方、生化学検査装置のコンディションが正常でない状態で生化学検査を行なった場合には、認証を受けないこととなるため、生化学検査の結果が適正なものであると誤解される虞をなくすことができる。
第２に、管理サーバにおいては、生化学検査装置の過去のコンディションのデータに基づいて、生化学検査装置の現在のコンディションが正常であるか否かが判断されるために、現在のコンディションのデータのみに基づいてこのコンディションが正常であるか否かを判断する場合よりも、客観性に優れた妥当な判断を行なうことが可能となる。
第３に、生化学検査装置のコンディションのデータは、管理サーバに順次記憶されるために、生化学検査装置自体にコンディションのデータを順次記憶させて蓄積させる必要はない。したがって生化学検査装置に大容量の記憶部を具備させるといった必要はなく、生化学検査装置のデータ処理負担の軽減、ならびに製造コストの低減を図ることが可能である。
【００１０】
本発明において、好ましくは、前記生化学検査装置のコンディションに関するデータが前記管理サーバに送信される時期は、前記生化学検査装置を利用して検体の生化学検査が実行される前であり、前記管理サーバが、前記生化学検査装置の現在のコンディションが正常ではないと判断したときには、その内容および現在のコンディションを正常にするための操作内容の少なくとも一方を報知するためのデータが、前記生化学検査装置に送信される構成とされている。
【００１１】
このような構成によれば、生化学検査が実行される前に、生化学検査装置のコンディションが正常であるか否かが判断されるために、コンディションが正常でないにも拘わらず、生化学検査が無駄に実行されることを回避することができる。また、コンディションが正常でない場合には、その内容およびコンディションを正常にするための操作内容の少なくとも一方が報知されるために、生化学検査装置を正常なコンディションに手際よく修正し、生化学検査を円滑に進めることができる。
【００１２】
本発明において、前記生化学検査装置は、検体に光を照射するための光源、この光源から発せられて前記検体を透過した光または前記検体により反射された光を受光してその受光量に対応した信号を出力する受光部、およびこの受光部から出力される信号のデータに基づいて前記検体中の特定成分の濃度演算処理を実行する濃度演算処理部を備えた構成とすることができる。
このような構成によれば、光学的な手法による検体の分析が可能である。
【００１３】
本発明において、好ましくは、前記生化学検査装置においては、前記検体の生化学検査が開始される前には、前記検体に代えて、前記光源から発せられた光の進行路に予備検査用部材が配置され、かつこの予備検査用部材を透過し、または反射した光が前記受光部に受光される予備検査が実行され、前記生化学検査装置のコンディションに関するデータとしては、前記予備検査において前記受光部から出力される信号のデータを含む予備検査データがあり、前記管理サーバは、前記予備検査データを受信した際には、前記生化学検査装置の過去の予備検査データに基づいて、前記予備検査データが正常な範囲にあるか否かを判断するように構成されている。
【００１４】
このような構成によれば、光源の発光強度、受光部の受光感度、光源から受光部までの光路が正常か否かといったことが、効率よく、かつ適切に判断することが可能である。
【００１５】
本発明において、好ましくは、前記生化学検査装置は、カメラ付きの携帯型通信端末と、分析用補助装置と、を組み合わせて構成されており、前記分析用補助装置は、前記携帯型通信端末を配置可能な通信端末配置部と、検体と試薬との呈色反応を生じさせるための分析用チップがセットされるチップ装着部とを備え、かつ前記チップ装着部には、このチップ装着部に前記分析用チップがセットされた状態において前記呈色反応が生じた部分に前記光源から光を照射して前記呈色反応部分の透過光または反射光を前記携帯型通信端末のカメラに入射させるための光通過部が設けられており、前記携帯型通信端末のカメラは、前記受光部として利用されており、前記携帯型通信端末が具備するデータ処理部は、前記濃度演算処理部として利用され、前記呈色反応部分の透過光または反射光が前記光通過部を通過して前記カメラに入射した際には、前記カメラから出力される撮像画像信号のデータに基づいて前記濃度演算処理を実行可能とされている。
ここで、携帯型通信端末の具体例としては、携帯電話機、スマートフォン、および携帯型タブレット端末などが挙げられる。
【００１６】
このような構成によれば、次のような効果が得られる。
第１に、携帯型通信端末のカメラおよびデータ処理部は、生化学検査専用に構成された従来一般の生化学検査装置の受光部および濃度演算処理部を構成しており、分析用補助装置には、それらに相当する手段を設ける必要はない。検査結果を出力させるための手段としては、携帯型通信端末から外部の適当なプリンタに検査結果のデータを送信して印字出力させるといった手段を採用したり、あるいは携帯型通信端末に具備されているディスプレイに表示させるといった手段を適用することもできる。したがって、分析用補助装置の構成を簡素にすることができる。一方、携帯型通信端末は、生化学検査装置を構成する機器として特化したものである必要はなく、ユーザが所有するスマートフォンなどを有効に利用することができる。このように、前記した構成の生化学検査装置は、携帯型通信端末を効率よく、かつ有効に利用した合理的な構成とされており、システム全体の実質的な製造コストを従来よりも廉価にし、ポイントオブケアを普及・促進する上で好ましいものとなる。また、全体の小型化を促進し、取り扱い性に優れたものとすることもできる。
第２に、携帯型通信端末として、たとえばスマートフォンが用いられる場合、このスマートフォンは、生化学検査に特化したものではないため、ユーザからの信頼を十分に確保することが重要である。これに対し、本発明によれば、携帯型通信端末と分析用補助装置とを組み合わせて構成される生化学検査装置のコンディションが正常であるか否かが適切に判断され、正常である場合にはその旨の認証が行なわれるために、装置に対するユーザの信頼性を十分に高めることができることとなる。
【００１７】
本発明のその他の特徴および利点は、添付図面を参照して以下に行なう発明の実施の形態の説明から、より明らかになるであろう。
【図面の簡単な説明】
【００１８】
【図１】本発明に係る生化学検査システムの一例を示す概略説明図である。
【図２】図１に示す生化学検査システムを構成する生化学検査装置の斜視図である。
【図３】図２に示す生化学検査装置の概略構成を模式的に示す断面図である。
【図４】図１に示す生化学検査装置を構成する携帯型通信端末のハード構成を示すブロック図である。
【図５】（ａ）は、図２に示す生化学検査装置で用いられる分析用チップの一例を示す平面図であり、（ｂ）は、（ａ）のＶｂ−Ｖｂ断面図である。
【図６】（ａ）は、図２に示す生化学検査装置で用いられる予備検査用チップの一例を示す平面図であり、（ｂ）は、（ａ）のVIｂ−VIｂ断面図である。
【図７】図２に示す生化学検査装置で用いられる予備検査用チップの他の例を示す平面図である。
【図８】図２に示す生化学検査装置で実行される検体分析の基本的な動作処理手順の一例を示すフローチャートである。
【図９】（ａ），（ｂ）は、図２に示す生化学検査装置において携帯型通信端末のカメラによって撮像される領域の例を模式的に示す説明図である。
【図１０】カメラによる撮像画像の例を模式的に示す要部拡大図である。
【図１１】図１０に示した画像の列Ｌ１の画素とその信号レベルとの関係を示す図である。
【図１２】カメラによる撮像画像において反応室を特定する動作処理手順の一例を示すフローチャートである。
【図１３】携帯型通信端末のデータ処理部による動作処理手順の一例を示すフローチャートである。
【図１４】分析用補助装置において実行される動作処理手順の一例を示すフローチャートである。
【図１５】（ａ），（ｂ）は、補正用データを作成する手法の一例を示す説明図である。
【図１６】（ａ），（ｂ）は、補正用データを作成する手法の一例を示す説明図である。
【図１７】（ａ），（ｂ）は、補正用データを作成する手法の一例を示す説明図である。
【図１８】（ａ），（ｂ）は、データ補正を行なう場合と行なわない場合との比較例を示す説明図である。
【図１９】（ａ），（ｂ）は、データ補正を行なう場合と行なわない場合との比較例を示す説明図である。
【図２０】図１に生化学検査システムで実行される動作処理手順の一例を示すフローチャートである。
【発明を実施するための形態】
【００１９】
以下、本発明の好ましい実施の形態について、図面を参照して具体的に説明する。
【００２０】
図１に示す生化学検査システムＳＹは、複数の生化学検査装置Ａ（Ａ１〜Ａｎ）、および各生化学検査装置Ａと公衆通信網Ｎを介して通信接続可能な管理サーバ８を備えている。
【００２１】
〔生化学検査装置Ａおよびこれに関連する構成〕
各生化学検査装置Ａは、カメラ２５を備えた携帯型通信端末Ｂと、分析用補助装置Ｃとを組み合わせて構成されている。携帯型通信端末Ｂは、たとえばスマートフォンである。生化学検査装置Ａは、後述するように、検体３の所定成分の濃度を測定可能である。検体３は、血液である。検体３の分析処理には、後述する分析用チップ１が利用される。一方、生化学検査の前には、後述するように、予備検査用チップ４８を用いた予備検査が実行
される。
【００２２】
理解の容易のため、図５を参照して、分析用チップ１の構造を先ず説明する。
分析用チップ１は、使い捨てタイプであり、複数の反応室１２を有している。各反応室１２には、呈色反応用の試薬１３が配されており、各反応室１２に検体３が供給されることにより、検体３と試薬１３との呈色反応が生じる。この呈色反応の度合いは、検体３中の特定成分の濃度に対応する。したがって、前記呈色反応の光学的特性に基づき、検体３中の特定成分の濃度を求めることができる。図面においては、４つの反応室１２が設けられた例を示しており、検体３についての４種類の生化学検査を同時に実行することが可能である。ただし、反応室１２の数は、これに限定されない。複数の反応室１２のうち、たとえば１つの反応室１２については、試薬１３が配されていない参照用の反応室とし、検体３が呈色反応を生じていない状態で検体３の光学的特性を検査する構成とすることもできる。
【００２３】
分析用チップ１は、透明なシート体１０ａ〜１０ｃと、遮光カバー１４とが積層された構成を有している。分析用チップ１の上面部には、複数の反応室１２に対して複数の流路１１を介して連通するリザーバ部１５が設けられている。このリザーバ部１５の開口部１５ａに検体３が滴下された状態において、キャップ１６をリザーバ部１５に装着し、キャップ１６を押圧変形させると、検体３は、流路１１から複数の反応室１２に分岐して流れ込む。すると、検体３と試薬１３との呈色反応が開始する。流路１１の終端は、空気抜き用の孔部１１ａに相当する。遮光カバー１４のうち、各反応室１２の直上に相当する部分には、開口部１４ａが設けられている。検体３の分析処理に際し、反応室１２において生じる呈色反応は、携帯型通信端末Ｂのカメラ２５によって開口部１４ａの上方から撮像される。開口部１４ａは、反応室１２と同様な円形状であり、その直径は、反応室１２の直径と同一またはそれよりも僅かに小径である。
【００２４】
図２および図３に示すように、分析用補助装置Ｃは、全体の概略形状がたとえば略直方体状に形成された樹脂製の筐体４、携帯型通信端末Ｂを載置させるための載置部４ａ、筐体４内に設けられたチップ装着部２３、光源２１、制御部５０、通信回路５１、予備検査用チップ４８の移載装置５２、および分析用チップ１のキャップ１６を押圧するためのキャップ押圧装置５３などを備えている。
【００２５】
筐体４は、たとえば樹脂製であり、下面開口部が蓋体４４を用いて閉塞可能な構造とされ、内部に外乱光や埃が進入し難い構造である。チップ装着部２３は、筐体４の側面に差し込み口２３ｃを設けることにより構成されており、この差し込み口２３ｃに分析用チップ１が差し込まれた際に、この分析用チップ１を安定的に固定させて載置させておくための載置台２３ａを有している。載置台２３ａには、温調ヒータ２３ｂが設けられ、検体３と試薬１３との呈色反応を生じさせる際の温度を所定の温度範囲に維持可能とされている。
【００２６】
光源２１（２１ａ〜２１ｄ）は、たとえばＬＥＤ光源であり、チップ装着部２３の下方に設けられている。光源２１ａ〜２１ｄは、光の中心波長が互いに相違している。光源２１ａ〜２１ｄからそれぞれ発せられる光の中心波長は、たとえば４０５ｎｍ、４５０ｎｍ、５７０ｎｍ、および６３０ｎｍである。携帯型通信端末Ｂに搭載されているカメラ２５は、後述するように、ＲＧＢのカラーフィルタ２５ｂを備えているが、このＲＧＢのカラーフィルタ２５ｂは、トータルすると、３８０〜７００ｎｍの波長域の光を高い透過率で透過させる。前記した光源２１は、そのような波長域内の光を発するものである。好ましくは、光源２１ａ〜２１ｄは、個別に点灯駆動させることが可能であり、検体３の分析に際し、呈色反応の種類などに応じて適切な中心波長の光が選択される。波長の切り替えは、光源２１ａ〜２１ｄを個別に点灯駆動させることに代えて、たとえば光源２１ａ〜２１
ｄのそれぞれから発せられる光を個別に遮ることが可能なシャッタ機構を用いることもできる。光源２１から発せられた光は、光散乱板２２を介して拡散されてから、分析用チップ１の複数の反応室１２およびその周辺領域に対してその下方から略均一に照射される。
【００２７】
筐体４の上面部は、携帯型通信端末Ｂ用の載置部４ａとされている。この載置部４ａには、たとえば図２に示すような位置決め用のガイド４２，４３が設けられており、載置部４ａ上に携帯型通信端末Ｂを載置した際にその位置決めが可能とされている。載置部４ａには、分析用チップ１の反応室１２を透過してきた光を通過させて携帯型通信端末Ｂのカメラ２５に入射させるための光通過部４１が設けられている。この光通過部４１は、たとえば載置部４ａを構成する筐体４の上壁部に貫通孔を設け、かつこの貫通孔を透光性に優れるカバー部材によって塞いだ構成とすることができる。位置決め用のガイド４２は、携帯型通信端末Ｂの先端部を付き当てるための部分であり、好ましくは、携帯型通信端末Ｂの長手方向に位置調整自在である。他の一対のガイド４３は、携帯型通信端末Ｂをその両側から挟み込むための部分であり、好ましくは、携帯型通信端末Ｂの幅方向に位置調整自在である。携帯型通信端末Ｂは、カメラ２５が光通過部４１の直上に位置するように載置部４ａ上に配置される。
【００２８】
図３において、通信回路５１は、携帯型通信端末Ｂとの間で無線通信を可能とするものであり、たとえばＷｉ-Ｆｉ対応である。ただし、この通信回路５１と携帯型通信端末Ｂとを配線接続することにより、これらの相互間で通信させるようにしてもよい。制御部５０は、携帯型通信端末Ｂからの指令を受けて分析用補助装置Ｃの各部の動作制御を行なう。生化学検査装置Ａにおいては、後述するように、各部の動作制御や演算処理を携帯型通信端末Ｂのデータ処理部２８に負担させることができるため、制御部５０としては、かなり小型の廉価なマイコンを用いた構成とすることが可能であり、さらにはマイコンを用いた制御部５０自体が実質的に用いられていない構成とすることもできる。
【００２９】
予備検査用チップ４８は、検体３の分析処理に先立って実行される予備検査に用いられる。この予備検査用チップ４８は、たとえば図６に示すように、チップ本体４０と、このチップ本体４９に設けられた複数の光通過部４１内に装着されている複数のＮＤフィルタＦ１〜Ｆ７とを備えている。ＮＤフィルタが装着されていない光通過部４１（貫通孔４１ａ）も設けられている。複数のＮＤフィルタＦ１〜Ｆ７の光の透過率は互いに相違しており、ＮＤフィルタＦ１〜Ｆ７の順序で透過率は徐々に低くなっている。予備検査用チップ４８を用いた予備検査の詳細については後述する。
【００３０】
図３において、予備検査用チップ４８の移載装置５２は、チップ装着部２３に分析用チップ１が装着されていない状態において、予備検査用チップ４８をチップ装着部２３に配置させる動作と、チップ装着部２３から退避させる動作とが可能なものである。図３においては、移載装置５２を模式的に示し、また予備検査用チップ４８が上下方向に比較的大きく移動する様子に示されているが、実際には、予備検査用チップ４８は、たとえばチップ装着部２３の横（図３の紙面と直交する方向）に退避した位置から略水平に移動してチップ装着部２３上に配置される動作と、チップ装着部２３上の位置から元の退避位置に略水平に移動する動作を行なわせるだけでよい。移載装置５２は、予備検査用チップ４８を略水平方向に往復動させる機構を備えた構成とすることができる。
ただし、移載装置５２は、省略することが可能である。たとえば、図７に示す予備検査用チップ４８Ａは、チップ本体４９Ａが図６に示すチップ本体４９よりも長寸法とされており、ユーザがチップ本体４９Ａの一端部を指で摘んで分析用補助装置Ｃの外部からチップ装着部２３に装着脱可能である。このような予備検査用チップ４８Ａを用いる場合には、移載装置５２は不要である。
【００３１】
図３におけるキャップ押圧装置５３は、分析用チップ１のキャップ１６を押圧するため
の装置であり、キャップ１６の上部に当接させるための当接部材５３ａと、この当接部材５３ａを昇降させるアクチュエータ５３ｂとを用いて構成されている。既述したように、分析用チップ１は、キャップ１６が押圧されることにより、検体３が反応室１２側に流れ、この反応室１２において検体３と試薬１３との呈色反応を生じさせることができる。
ただし、キャップ押圧装置５３は、省略することが可能である。たとえば、分析用チップ１をチップ装着部２３に装着させた際に、キャップ１６が筐体４の外部に位置する構成としておけば（図３においては、筐体４内にキャップ１６が位置している）、キャップ１６をユーザが指で押圧することが可能である。このような方式を採用する場合には、キャップ押圧装置５３は不要である。
【００３２】
携帯型通信端末Ｂは、既述したように、たとえばカメラ２５を備えたスマートフォンであるが、図４に示すように、データ処理部２８の記憶部２８ａに検体分析処理用の制御プログラムＰ１が記憶されている点を除くと、それ以外の構成は一般のスマートフォンと同様である。すなわち、携帯型通信端末Ｂは、前記したデータ処理部２８やカメラ２５に加え、通信回路７０、液晶パネルや有機ＥＬパネルなどを用いて構成された表示部７１、タッチパネル方式の操作部７２、およびスピーカ７３を備えている。データ処理部２８は、携帯型通信端末Ｂの各部の動作処理やデータ処理を実行するものであるが、検体分析処理用の制御プログラムＰ１を記憶していることにより、検体３の特定成分の濃度を演算する濃度演算処理部としても機能する。
【００３３】
カメラ２５は、検体分析処理を行なう際には、光源２１から発せられて呈色反応部分１２ａ（後述）を透過してきた光を受光するための受光部として利用され、呈色反応部分１２ａを撮像可能である。このカメラ２５は、具体的には、集光レンズ２５ａ、ＲＧＢのカラーフィルタ２５ｂ、およびイメージセンサ２５ｃを組み合わせて構成されている。イメージセンサ２５ｃは、たとえばＣＣＤまたはＣＭＯＳなどのエリアイメージセンサである。カラーフィルタ２５ｂは、イメージセンサ２５ｃの複数の受光素子のそれぞれに対応して設けられており、ＲＧＢの３種類がある。このため、イメージセンサ２５ｃからは、撮像画像信号として、ＲＧＢのそれぞれの受光量に対応した出力レベル（電圧レベル）の３種類の信号を出力可能である。カメラ２５から出力されるアナログの撮像画像信号は、増幅部２６によって増幅された後に、Ａ／Ｄ変換部２７によってデジタル信号に変換されてからデータ処理部２８に入力する。
【００３４】
携帯型通信端末Ｂが載置部４ａ上に載置された状態においては、カメラ２５の撮像範囲は、分析用チップ１の複数の反応室１２が設けられている領域よりも広い範囲となっている。このため、カメラ２５は、分析用チップ１をチップ装着部２３に装着させた状態で撮像する場合、複数の反応室１２とその周辺領域とを一括して撮像可能である。カメラ２５が受ける光は、光源２１から発せられて分析用チップ１を透過してきた光とすることができるため、カメラ２５で撮像された画像の信号レベルに基づき、分析用チップ１の所定部位の吸光度を測定可能である。
【００３５】
光源２１は、点灯駆動時間を複数段階で変更可能とされている。カメラ２５による撮像画像としては、光源２１の点灯駆動時間が長い場合には明るめの撮像画像が得られ、前記時間が短い場合には暗めの撮像画像が得られる。検体３と試薬１３との呈色反応部分の色彩およびその明度などは一様ではないため、呈色反応部分の吸光度を求めるのに最適な明るさの撮像画像が得られるように、光源２１の点灯駆動時間が制御される。あるいは、明るさが異なる複数の画像を撮像した後に、それらの中から最適と判断される画像が選択され、この選択された画像に基づいて吸光度が求められる。
【００３６】
〔生化学検査の基本的な動作〕
次に、生化学検査装置Ａを利用した生化学検査（検体３の分析処理）の基本的な動作手
順について、図８のフローチャートを参照して説明する。管理サーバ８と関連する構成については後述する。
【００３７】
まず、光源２１が点灯駆動された状態において、分析用チップ１の複数の反応室１２を、検体３が未だ供給されていない状態でカメラ２５により撮像する（Ｓ１，Ｓ２）。この場合、複数の反応室１２に加えてその周辺領域も一括して撮像する。このことにより、たとえば図９（ａ）に示すように、分析用チップ１のうち、複数の反応室１２の全てとその周辺領域とを一括して撮像したサブ画像Ｉａのデータが得られる。
【００３８】
各反応室１２の周辺領域は、黒色の遮光カバー１４であるのに対し、各反応室１２は、内部に試薬１３を有するものの、透光性を有する部分である。データ処理部２８は、各反応室１２とその周辺領域との透光性の相違を利用し、サブ画像Ｉａのデータ中における各反応室１２の位置を特定する（Ｓ３）。ただし、その詳細については、後述する。サブ画像Ｉａを撮像する際には、光源２１ａ〜２１ｄのいずれか１つのみを点灯駆動させるだけでもよい。その後、各反応室１２に検体３が供給されると、各反応室１２において検体３と試薬１３とが混合されて呈色反応を生じる。この呈色反応を生じた状態においても、カメラ２５による撮像がなされる。このことにより、たとえば図９（ｂ）に示すように、呈色反応部分１２ａ（反応室１２）の全てとその周辺領域とを一括して撮像したメイン画像Ｉｂのデータが得られる（Ｓ４：ＹＥＳ，Ｓ５）。メイン画像Ｉｂとサブ画像Ｉａとは、撮像範囲が同一であり、これらは各反応室１２において呈色反応を生じている画像であるか否かが相違するだけである。
【００３９】
データ処理部２８は、前記したメイン画像Ｉｂを撮像した後には、この画像データの中から、各呈色反応部分１２ａの画像データを選出する（Ｓ６）。この選出処理は、メイン画像Ｉｂのデータの中から、ステップＳ３において特定した各反応室１２の画像データと位置が同一のデータを選出することにより行なう。メイン画像Ｉｂのデータにおいては、各呈色反応部分１２ａとその周辺領域との明度差が小さくなる可能性があり、各呈色反応部分１２ａの位置を正確に特定する処理が煩雑化するが、本実施形態の処理方法によれば、そのような不具合が解消される。
【００４０】
次いで、データ処理部２８は、前記した呈色反応部分１２ａの画像のデータから気泡やダスト類の画像データなどの異常データを排除する処理を実行する（Ｓ７）。図示説明は省略するが、呈色反応部分１２ａに気泡が混入した場合、この気泡の周縁部は、光源２１から進行してきた光を高い反射率で反射する。したがって、撮像画像において、気泡の画像の周縁部は正常な呈色反応部分の画像領域よりも暗い画像となる。一方、気泡の中央寄り部分は、光源２１から進行してきた光を多く透過させる特性をもち、気泡の画像の中央寄り部分は、いわゆる白抜け状態の画像となる。したがって、このような画像の有無を判断し、該当する画像があれば、この部分の画像は気泡の画像などの異常データであるとして除外することができる。
【００４１】
データ処理部２８は、呈色反応部分１２ａの画像のデータのうち、前記した異常データを排除した後には、その残余のデータに基づいて、検体３の特定成分の濃度を演算する（Ｓ８）。この演算処理は、まず呈色反応部分１２ａの吸光度を求めた後に、この吸光度を記憶部２８ａに記憶されている検量線のデータと照合することにより行なわれる。
【００４２】
前記した一連の動作手順のうち、ステップＳ３における各反応室１２の位置特定処理は、たとえば次のような手法を用いて実行される。
【００４３】
まず、図１０に示す画像Ｉａ’は、サブ画像Ｉａの一部（２つの反応室１２とその周辺領域の画像）が模式的に示されたものであり、複数の画素４０の集合体である（同図の格
子によって囲まれた細かい桝目のそれぞれは画素４０に相当する）。同図において、列Ｌ１の各画素４０の信号レベルは、図１１に示すような状態である。同図において、信号レベルの高低が「カウント値」で示されているが、この「カウント値」は、カメラ２５から出力されるアナログ信号のレベルを一定の規則にしたがって数値化（デジタル化）した値である。カウント値が大きいほど、画素４０の信号レベルが高い（画素４０が明るい）。
同図においては、列Ｌ１の複数の画素４０のうち、反応室１２の領域に相当する画素４０ａ，４０ｂ間、および画素４０ｃ，４０ｄ間に位置する画素４０の信号レベルは高く、それ以外の画素４０の信号レベルは低い。これは、反応室１２は、透光性を有しているのに対し、反応室１２の周辺領域には、遮光カバー１４が位置しているからである。
【００４４】
データ処理部２８は、前記したような撮像画像を対象とし、図１２のフローチャートに示すような処理を実行する。
すなわち、データ処理部２８は、サブ画像Ｉａのデータを取り込んだ後には、所定のカウント値（たとえば、図１１では、カウント値「１００，０００」）を閾値ＴＨ１として設定し、複数の画素４０のデータの中から、閾値ＴＨ１を超える信号レベルの画素データを選出する（Ｓ２０，Ｓ２１）。このことにより、受光量が多い画素データが選出される。次いで、データ処理部２８は、そのようにして選出された画素データの信号レベルの平均値または中央値を求めてから、この平均値または中央値に基づき乖離範囲（分散範囲）を設定し、この乖離範囲内にある画素データの集合を、反応室１２の画像のデータであると仮判断する（Ｓ２２，Ｓ２３）。
【００４５】
その後は、前記の仮判断の妥当性が判断される（Ｓ２４）。この判断においては、たとえば反応室１２の画像のデータであると仮判断されたデータのサイズや位置が、所定の範囲から大きく逸脱していないか否かといったことが判断され、データのサイズや位置が明らかに異常であるような場合には、前記データは反応室１２の画像のデータではないと判断される（Ｓ２４：ＮＯ，Ｓ２７）。このことにより、たとえば分析用チップ１の空気抜き用の孔部１１ａや、分析用チップ１の周囲の領域が、反応室１２であると過誤判断されることは回避される。前記の仮判断が妥当であると判断される場合には、その判断が確定され、反応室１２の画像のデータの位置が記憶部２８ａに記憶される（Ｓ２４：ＹＥＳ，Ｓ２５）。前記した処理は、サブ画像Ｉａのデータの全てについて終了するまで繰り返し実行される（Ｓ２６）。このため、複数の反応室１２のそれぞれの位置が適切に特定される。
【００４６】
〔携帯型通信端末と分析用補助装置との協働動作〕
次に、携帯型通信端末Ｂと分析用補助装置Ｃとの協働による具体的な動作処理手順の一連について、図１３および図１４のフローチャートを参照しつつ説明する。
【００４７】
まず、携帯型通信端末Ｂの操作部７２において、ユーザにより所定のスイッチ操作がなされると、携帯型通信端末Ｂは、分析処理対応モードに設定され、その旨が表示部７１に画面表示される（Ｓ３１：ＹＥＳ，Ｓ３２）。携帯型通信端末Ｂが分析処理対応モードに設定されるための条件としては、スイッチ操作に代えて、たとえば携帯型通信端末Ｂと分析用補助装置Ｃとが配線を介して通信接続される仕様である場合に、この配線接続されることを条件としてもよい。データ処理部２８は、前記した分析処理対応モードになると、分析用補助装置Ｃに対して測定準備を開始すべき旨を指令するデータ送信を行ない、表示部７１には待機画面を表示させる（Ｓ３３）。この指令に対応し、分析用補助装置Ｃにおいては、光源２１および温調ヒータ２３ｂがともにオンとされる（Ｓ５１：ＹＥＳ，Ｓ５２）。
【００４８】
分析用補助装置Ｃにおいて前記の測定準備が完了すると、データ処理部２８は、分析用補助装置Ｃに対して予備検査用の補助動作を行なうべき旨を指令するデータ送信を行ない
、かつ表示部７１には今から予備検査が実行される旨の画面表示を行なわせる（Ｓ３４：ＹＥＳ，Ｓ３５）。分析用補助装置Ｃにおいて前記測定準備が完了したか否かは、たとえば分析用補助装置Ｃから測定準備が完了した旨の信号を送信させることにより判断させることができる。また、測定準備開始指令がなされてから所定時間が経過した時点で、準備が完了したものと判断させるようにしてもよい。
【００４９】
予備検査は、本来的には、カメラ２５の受光量とその出力信号との関係を検査し、これらをリニアの関係に補正するための補正用データを取得するためのものである。携帯型通信端末Ｂに搭載されているカメラ２５の出力特性は、撮像画像が人の目にとって綺麗に見えるようにするといった観点から、受光量とその出力信号との相対関係はリニアではないのが通例であるため、このことに起因する測定誤差を少なくすることが要望される。予備検査はそのような要望に応え得るものである。ただし、後述するように、予備検査によって得られるデータは、分析用補助装置Ｃのコンディションが正常であるか否かを判断するのにも利用される。
【００５０】
分析用補助装置Ｃにおいては、データ処理部２８から予備検査用の補助動作を行なうべき旨の指令を受けると、予備検査用チップ４８をチップ装着部２３に装着させる（Ｓ５３：ＹＥＳ，Ｓ５４）。また、光源２１を予備検査用に点灯駆動させる（Ｓ５５）。この際の光源２１の点灯駆動は、たとえば複数の光源２１（２１ａ〜２１ｄ）のそれぞれを単独で順次駆動させるようにして行なわれる。また、その際にはカメラ２５の露光時間あるいはＩＳＯを変更しながら、前記した各光源２１の単独駆動が複数回にわたって繰り返される。一方、前記した光源２１の点灯駆動が行なわれる際には、カメラ２５を利用して予備検査用チップ４８が撮像される（Ｓ３６：ＹＥＳ，Ｓ３７）。予備検査用チップ４８の撮像画像Ｉｄの範囲は、たとえば図６に示すような範囲であり、複数のＮＤフィルタＦ１〜Ｆ７、貫通孔４１ａ、およびその周辺部分が撮像される。周辺部分の画像データは、先に述べた手法と同様な手法で除外し、複数のＮＤフィルタＦ１〜Ｆ７および貫通孔４１ａに関するデータのみを選出し、または区別化することが可能である。データ処理部２８は、このような撮像画像のデータに基づき、カメラ出力特性の補正用データを作成する（Ｓ３８）。この補正用データの作成手法は、次のとおりである。
【００５１】
まず、図１５（ａ）に示すようなデータを作成する。同図に示すデータは、光源２１ｄを駆動させて、中心波長が６３０ｎｍの光（赤色光）を予備検査用チップ４８に照射することにより得られた撮像画像から、複数のＮＤフィルタＦ１〜Ｆ７の吸光度（測定Ａｂｓ）を算出し、これをプロットしたものである（同図のＦ１〜Ｆ７の符号で示された各ドットは、図６のＮＤフィルタＦ１〜Ｆ７の測定Ａｂｓを示す）。また、同図に示されたデータは、予備検査用チップ４８の撮像を３回行なったものである。予備検査用チップ４８の貫通孔４１ａの吸光度は、ゼロであり、この貫通孔４１ａの撮像画像の信号は、測定Ａｂｓの算出基準として利用される。図１５（ａ）に示すように、測定Ａｂｓは、同一直線上にはなく、カメラ２５の受光量と出力信号とはリニアの関係にはないことが理解できる。
【００５２】
次いで、補正用データを作成するには、図１５（ａ）に示したデータに基づき、同図（ｂ）に示すデータを作成する。このデータは、同図（ａ）に示したグラフの縦軸と横軸とを入れ替えたものである。同図（ｂ）において、曲線Ｌａは、ＮＤフィルタＦ１〜Ｆ７の測定Ａｂｓの近似曲線であり、この近似曲線Ｌａの方程式は、たとえば次の式１のとおりである。
ｙ＝０.０９７１３５ｘ3−０.５１５４９７ｘ2＋１.６４５７９１ｘ  …式１
ばらつきは、Ｒ2＝０.９９６６１４である。
このような近似曲線の方程式を得ると、この方程式のｘの値として、測定Ａｂｓの値を代入することにより、誤差の殆どない正確な吸光度の値を得ることができる。したがって、式１は、前記補正用データの一例に相当する。
【００５３】
前記した例は、光源２１ｄから発せられる中心波長６３０ｎｍの赤色光について述べたが、これ以外の光源２１ａ〜２１ｃから発せられる他の波長域の光についても、前記と同様な手法を用いて、補正用データとしての方程式を求める。光源２１ａから発せられる青色光については便宜上省略するが、光源２１ｃから発せられる中心波長５７０ｎｍの緑色光、および光源２１ｂから発せられる中心波長４０５ｎｍの青色光については、たとえば図１６および図１７に示すようなデータとなり、正確な吸光度を得るための方程式の例（近似曲線Ｌｂ，Ｌｃの方程式）としては、次の式２，式３となる。
ｙ＝０．１３６９８３ｘ3−０.６４９０１５ｘ2＋１.７２２０１１ｘ  …式２
ばらつきは、Ｒ2＝０.９９８１７７である。
ｙ＝０．１４６０７６ｘ3−０.８１６４０４ｘ2＋１.９３９３００ｘ  …式３
ばらつきは、Ｒ2＝０.９９９３１７である。
【００５４】
図１８および図１９は、そのような補正処理が行なわれた場合と行なわれていない場合との具体例を示している。
図１８（ａ）は、生化学検査装置Ａ（携帯型通信端末Ｂとして、市販されている通常のスマートフォンを使用）を利用してＡＭＹの吸光度を求めた例を示している。ただし、データ補正は行なわれていない。この場合には、高精度の専用検査装置を用いて得られるＡＭＹの吸光度との差がかなり大きいものとなっている。これに対し、同図（ｂ）に示すように、生化学検査装置Ａを利用した場合であって、前述したような補正を行なった場合には、ＡＭＹの吸光度の値が、専用検査装置を用いた得られるＡＭＹの吸光度にかなり近いものとなっている。
図１９（ａ），（ｂ）は、ＡＭＹに代えて、ＴＧを対象としてその吸光度を求めた場合の例を示しているが、やはり同図（ａ）に示す補正なしの場合と比較して、同図（ｂ）に示す補正ありの場合には、ＴＧの吸光度の値が、専用検査装置を用いた場合の値にかなり近いものとなっている。
このような例から理解されるように、本実施形態の生化学検査装置Ａでは、カメラ２５の出力特性に起因して分析結果の精度が低くなることを、前記したような補正処理により、好適に回避し、精度が高く信頼のおける分析結果を得ることが可能である。
【００５５】
前記した補正用データを求めた後には、データ処理部２８は、測定項目（たとえば、ＡＭＹ（アミラーゼ）測定、ＴＧ（中性脂肪）測定、血糖値測定など）や、これに関連する項目を表示部７１に表示させ、ユーザが要望する測定項目を選択させる（Ｓ３９）。この選択操作が終了すると、分析用補助装置Ｃに検体分析用の補助動作の実行指令を行なうとともに、表示部７１には、待機画面を表示させる（Ｓ４０：ＹＥＳ，Ｓ４１）。その際、好ましくは、ユーザには、分析用チップ１をチップ装着部２３に装着することを促す旨のメッセージなども表示される。なお、分析用補助装置Ｃにおいては、予備検査用チップ４８の撮像を終えた段階で、予備検査用チップ４８は元の待機状態に復帰させる動作が行なわれており、分析用チップ１の装着に支障を生じないようにされる（Ｓ５６）。分析用補助装置Ｃは、前記の検体分析用の補助動作実行指令を受けると、分析用チップ１のキャップ１６を押圧する動作を実行し、検体分析用の光源点灯駆動を行なわせる（Ｓ５７：ＹＥＳ，Ｓ５８，Ｓ５９）。この場合、点灯駆動対象となる光源２１は、検体の測定項目に好ましい中心波長の光を発する光源とされる。
【００５６】
キャップ１６の押圧により、検体３が反応室１２に供給されると、その後はこの反応室１２において呈色反応が発生するが、そのようなタイミングでカメラ２５により分析用チップ１が撮像され、そのデータがデータ処理部２８に取り込まれる（Ｓ４２：ＹＥＳ，Ｓ４３）。その後は、図８などを参照して説明したように、撮像画像データの中から呈色反応部分１２ａの画像データを選出し、かつ呈色反応部分１２ａの吸光度を求めるが、この吸光度の値については、既述した補正用データを用いて補正し、この補正後の吸光度に基
づいて検体３の特定成分の濃度を求める（Ｓ４４）。このようにして求められた分析結果のデータは、測定対象項目やその他の関連事項と一緒に表示部７１に表示出力させ、また携帯型通信端末Ｂに予め登録されているプリンタ９０（図３を参照）に無線送信し、このプリンタ９０を利用して印字出力させる（Ｓ４６）。勿論、プリンタ９０以外のパソコン９１などの装置・機器類に前記データを送信し、データ管理を行なうこともできる。また、携帯型通信端末Ｂにネットワーク上のアドレスを登録しておくことにより、この登録先のアドレスに前記データを送信するといったこともできる。
【００５７】
分析結果のデータ送信などが終了した後には、分析用補助装置Ｃに動作終了の指令を発し、その後は携帯型通信端末Ｂの分析処理対応モードを解除する。その際には、表示部７１に分析処理対応モードが終了した旨の表示を行なわせ、その後に携帯型通信端末Ｂを通常状態の画面表示に復帰させる（Ｓ４７，Ｓ４８）。分析用補助装置Ｃにおいては、前記した動作終了の指令を受けると、光源２１および温調ヒータ２３ｂをオフとする（Ｓ６０：ＹＥＳ，Ｓ６１）。
【００５８】
〔管理サーバ８の構成〕
図１において、管理サーバ８は、通信網Ｎを利用して携帯型通信端末Ｂとの相互間でデータ通信を行なうための通信回路８０、データ処理部８１、および記憶部８２を備えている。データ処理部８１は、機能的にみると、生化学検査装置Ａのコンディションが正常であるか否かを判断するためのコンディション判断部８１ａや、生化学検査装置Ａにおいて実行される生化学検査の測定濃度範囲などを判断する検査条件判断部８１ｂなどを有している。記憶部８２には、各生化学検査装置Ａのコンディションに関するデータＤ１、各生化学検査装置Ａの使用履歴データＤ２、および各生化学検査装置Ａを利用して実行された生化学検査の結果のデータＤ３などが記憶されるように構成されている。
【００５９】
〔生化学検査システムＳＹの動作〕
次に、生化学検査システムＳＹの全体の動作処理手順の一例について、図２０のフローチャートを参照しつつ説明する。同図において、破線で示すステップＳ７３，Ｓ７９は、管理サーバ８における処理であり、これ以外は、生化学検査装置Ａにおける処理である。
【００６０】
まず、生化学検査装置Ａにおいて、予備検査用チップ４８を利用した予備検査が実行されると、その際にカメラ２５から出力される信号のデータ（撮像画像データ）が管理サーバ８に送信される（Ｓ７１：ＹＥＳ，Ｓ７２）。このデータは、本発明でいう「生化学検査装置のコンディションに関するデータ」の一例に相当し、具体的には、図６で示した予備検査用チップ４８の撮像画像データである。このデータが管理サーバ８に送信される際には、生化学検査装置Ａを特定するためのＩＤコード、および携帯型通信端末Ｂの種別などを示すためのデータも付される。
【００６１】
管理サーバ８は、前記データを受信すると、これを記憶部８２に記憶し、このデータを将来のコンディション判断に利用可能とする。また、前記データを送信してきた生化学検査装置Ａの現在のコンディションが正常であるか否かを判断し、さらには後述するデータ処理を実行する（Ｓ７３）。
【００６２】
生化学検査装置Ａの現在のコンディションが正常であるか否かの判断は、今回受信したコンディションに関するデータに加え、以前に受信した生化学検査装置Ａのコンディションに関するデータ、および生化学検査装置Ａの使用履歴などに基づいて判断される。この場合、携帯型通信端末Ｂが同機種の他の生化学検査装置Ａのコンディションに関するデータも適宜参照することができる。このようなデータの参照は、たとえば生化学検査装置Ａが使い始めの状態にあって、参考となるデータが管理サーバ８に未だ十分に蓄積されていないような場合に有用である。
【００６３】
生化学検査装置Ａのコンディションに関するデータは、既述したように、予備検査用チップ４８の撮像画像であるために、たとえば図６の貫通孔４１ａに相当する箇所の撮像画像が所定レベルよりも暗い撮像画像である場合には、光源２１の発光量不足、あるいは光通過部４１に汚れが付着しているといった異常が生じていることが考えられ、このような場合には生化学検査装置Ａのコンディションは正常ではないと判断される。また、貫通孔４１ａならびにＮＤフィルタＦ１〜Ｆ７のそれぞれに相当する複数の撮像画像の明るさに所定の差が生じていない場合、あるいはその差が不当な場合には、予備検査用チップ４８自体に異常があると考えられる。この場合には、適正な補正処理が実行できないため、この場合にもコンディションは正常でないと判断される。その他、管理サーバ８には、前記したコンディションのデータに基づいて、光源２１ａ〜２１ｄの各波長ごとの補正用データ（図１５〜図１７を参照して説明した補正用データ）を作成させたり、あるいは生化学検査装置Ａの最大測定吸光度や吸光度分解能などを演算させて、これらの値が妥当であるか否かによって、生化学検査装置Ａのコンディションが正常であるか否かを判断させるように構成することもできる。
【００６４】
管理サーバ８は、生化学検査装置Ａの現在のコンディションが正常であると判断した場合には、生化学検査装置Ａに対して認証番号のデータを送信する。生化学検査装置Ａは、前記の認証番号を受けると、その旨を携帯型通信端末Ｂの表示部７１に表示させるとともに、生化学検査（検体３の分析処理）を実行可能なモードに移行する（Ｓ７４：ＹＥＳ，Ｓ７５）。このモード移行の初期には、測定項目（たとえばＡＭＹ測定、ＴＧ測定、血糖値測定などの項目）が表示部７１に表示されるが、その際に管理サーバ８において先に算出された最大測定吸光度や吸光度分解能などの数値を表示させて、その内容をユーザに報知させるようにしてもよい。また、管理サーバ８において、補正用データを算出した場合には、このデータを生化学検査装置Ａに送信させるようにしてもよい。このような構成によれば、生化学検査装置Ａにおいては補正用データの算出処理を実行する必要がなくなり、生化学検査装置Ａにおけるデータ処理負担が軽減する。
【００６５】
生化学検査が終了した後には、検査結果のデータに、前記認証番号のデータが付加される（Ｓ７６：ＹＥＳ，Ｓ７７）。このことにより、たとえば検査結果のデータを、表示部７１に表示させた場合や、図３に示したプリンタ９０を用いて印字出力した場合には、検査結果のデータに伴って認証番号が表示または印字出力されることとなる。検査結果のデータは、認証番号が付された状態で管理サーバ８に送信され、管理サーバ８においては、このデータが記憶部８２に記憶される（Ｓ７８，Ｓ７９）。好ましくは、このようにして記憶された検査結果のデータは、生化学検査を行なった患者や医師などによって適宜閲覧され、健康状態の推移などを確認するのに利用される。
【００６６】
前記とは異なり、生化学検査装置Ａのコンディションが正常でない場合には、管理サーバ８から生化学検査装置Ａに認証番号のデータは送信されない。この場合、生化学検査装置Ａは、管理サーバ８から正常でないコンディションの内容や、コンディションを正常にするための操作内容のデータを受信することとなり、そのデータが表示部７１に表示出力される（Ｓ７４：ＮＯ，Ｓ８０）。ここで、コンディションを正常にするための操作内容とは、たとえば光通過部４１が汚れている可能性がある場合には、この部分を清掃することを促す内容、あるいは予備検査用チップ４８が損傷している可能性がある場合には、予備検査用チップ４８を他の新たなものと交換することを促す内容が該当する。
【００６７】
その後、生化学検査装置Ａにおいて、再度の予備検査が実行された場合には、生化学検査装置Ａのコンディションに関するデータが管理サーバ８に再度送信される（Ｓ８１：ＹＥＳ，Ｓ７２）。この場合においても、管理サーバ８においては生化学検査装置Ａの現時点におけるコンディションが正常か否かが再度判断され、コンディションが正常状態にな
った場合には、生化学検査装置Ａに対して前記した認証番号の付与がなされる。これに対し、認証番号の付与がなされないまま生化学検査が実行された場合には、その検査結果のデータに、未認証である旨のデータが付加される（Ｓ８２：ＹＥＳ，Ｓ８３）。この場合においては、検査結果のデータを表示部７１に表示させ、あるいはプリンタ９０を用いて印字出力させると、検査結果のデータに伴って未認証である旨のデータが表示または印字出力される。
【００６８】
前記したような動作処理によれば、生化学検査装置Ａのユーザは、管理サーバ８から認証を受けるか否かによって、生化学検査装置Ａのコンディションが正常であるか否かを的確に察知することができる。前記認証を受けた場合には、生化学検査の結果に大きな信頼をおくことが可能である。一方、前記認証を受けていない場合の検査結果については、これを適切な高精度の検査結果であると誤解しないようにすることができる。また、前記認証を受けることができない場合には、正常ではないコンディションの内容、およびコンディションを正常にするための操作内容などユーザに報知されるために、生化学検査装置Ａを正常なコンディションに設定することも容易となる。
【００６９】
生化学検査装置Ａの現在のコンディションが正常であるか否かの判断は、管理サーバ８の記憶部８２に記憶されている過去のコンディションのデータ、生化学検査装置Ａの使用履歴、およびその他の前述したようなデータに基づいて行なわれるために、前記判断を的確に行なうことが可能である。さらに、生化学検査装置Ａのコンディションのデータが記憶される先は、管理サーバ８であるために、生化学検査装置Ａ自体にコンディションのデータを順次記憶させていく必要はない。したがって、携帯型通信端末Ｂにメモリ不足が生じるといった不具合を回避することもできる。また、メモリ容量が比較的小さい携帯型通信端末Ｂを、生化学検査装置Ａの構成要素として利用することができる。
【００７０】
本実施形態においては、生化学検査装置Ａがカメラ２５を備えた携帯型通信端末Ｂを利用して構成されているために、次のような効果も得られる。
すなわち、携帯型通信端末Ｂのカメラ２５およびデータ処理部２８は、呈色反応部分１２ａなどを透過してきた光を受ける受光部および濃度演算処理部として利用されている。このため、分析用補助装置Ｃには、それらに相当する手段を設ける必要はない。分析結果のデータを出力させるための手段としては、携帯型通信端末Ｂの表示部７１を利用できる他、携帯型通信端末Ｂが本来有する通信機能を利用して、外部のプリンタ９０などに適宜送信するといった手段を簡易に採用することができる。分析用補助装置Ｃにプリンタ９０を具備させる必要もなく、分析用補助装置Ｃの全体構成を簡素にすることが可能である。一方、携帯型通信端末Ｂは、生化学検査装置Ａを構成する機器として特化したものではなく、日常において通話、メール送受信、あるいはインターネット接続などに支障なく使用することが可能である。その結果、たとえば生化学検査装置の全体を専用機器で構成した場合と比較すると、本実施形態の生化学検査装置Ａは携帯型通信端末Ｂを有効に利用した合理的な構成とされており、システム全体の実質的な製造コストを廉価にすることが可能である。また、システム全体の小型化が容易であり、取り扱い性に優れたものとすることもできる。
【００７１】
分析用補助装置Ｃの各部は、携帯型通信端末Ｂのデータ処理部２８を介して制御されているために、分析用補助装置Ｃに多くの操作スイッチを設け、かつこの操作スイッチをユーザが操作するといった煩わしさを無くすことができる。したがって、操作が容易であり、使い勝手もよい。
カメラ２５によって分析用チップ１の呈色反応部分１２ａを撮像する際には、この呈色反応部分１２ａのみならず、その周辺領域をも撮像されるために、呈色反応部分１２ａのみがカメラによって撮像されるようにカメラ２５と呈色反応部分１２ａとの位置合わせを高精度に行なう必要はない。また、分析用チップ１に設けられている複数の呈色反応部分
１２ａを一纏めに撮像して処理することも可能となるために、測定速度を速めることもできる。光源２１や携帯型通信端末Ｂのカメラ２５の位置を、複数の呈色反応部分１２ａのそれぞれに対応する箇所に移動させるといった必要もない。
カメラ２５から出力される撮像画像の信号レベルは、カメラ２５の受光量とリニアの関係にはないものの、本実施形態においては、そのような関係を解消するための補正処理が実行されている。このため、分析結果のデータをかなり正確なものとすることが可能である。
【００７２】
本発明は、上述した実施形態の内容に限定されない。本発明に係る生化学検査システムの各構成要素の具体的な構成は、本発明の意図する範囲内において種々に設計変更可能である。
【００７３】
上述した実施形態においては、カメラ付きの携帯型通信端末を利用して生化学検査装置を構成しているが、本発明はこれに限定されない。本発明でいう生化学検査装置は、携帯型通信端末などを用いない構成、たとえば１つの筐体内に、光源、受光部、および濃度演算処理部が組み込まれたような構成をもつ装置として構成されていてもよい。
【００７４】
生化学検査装置は、検体の透過光を利用して検体の分析を行なうものに限らず、たとえば検体からの反射光を利用し、検体の光反射率や色彩に基づいて検体を分析するように構成することもできる。検体を試薬と反応させているか否かは問わない。
生化学検査装置は、光学的な手法により検体の分析を行なうものに限らない。たとえば、検体に接触させるための電極を備え、かつ電気的な手法によって検体の分析を行なうものでもよい。この場合には、たとえば電極の汚れや断線に起因する導通不良、電極に対する印加電圧の不足、あるいは電極への過度な電圧印加などがあると、生化学検査を適切に行なうことができない。本発明によれば、そのような状況にある場合には、コンディションが正常ではない旨の判断を行なって、生化学検査装置を認証しないようにする反面、コンディションが正常である場合には、生化学検査装置を認証するように構成することが可能である。
【００７５】
生化学検査装置のコンディションに関するデータが管理サーバに送信される時期は、生化学検査が開始される前のタイミングが好ましいものの、やはりこれに限定されず、たとえば生化学検査中などであってもよい。検体は、血液に限定されず、たとえば尿、便などとすることも可能であり、その具体的な種類を問わない。
【符号の説明】
【００７６】
ＳＹ  生化学検査システム
Ａ  生化学検査装置
Ｂ  携帯型通信端末
１  分析用チップ
３  検体
４８  予備検査用チップ
１２  反応室
１２ａ  呈色反応部分（反応室）
１３  試薬
２１  光源
２３  チップ装着部
２５  カメラ（受光部）
２８  データ処理部（濃度演算処理部）
４ａ  載置部
４１  光通過部
５１  通信回路
【手続補正３】
【補正対象書類名】図面
【補正対象項目名】図２
【補正方法】変更
【補正の内容】
【図２】
2015169512.tif 000023
【手続補正４】
【補正対象書類名】図面
【補正対象項目名】図３
【補正方法】変更
【補正の内容】
【図３】
2015169512.tif 000024
【手続補正５】
【補正対象書類名】図面
【補正対象項目名】図６
【補正方法】変更
【補正の内容】
【図６】
2015169512.tif 000025
【手続補正６】
【補正対象書類名】図面
【補正対象項目名】図７
【補正方法】変更
【補正の内容】
【図７】
2015169512.tif 000026